(57)【要約】【課題】非展開状態においてコンパクト性に優れるとともに、展開状態において被清掃面の清掃性に優れる清掃シートを提供すること。【解決手段】積層構造１７を有し、展開させて用いられる清掃シート１であって、積層構造１７が、厚さ方向Ｔに順に配置されている、複数のシート部分（２１，３１，５１，６１）を備えており、複数のシート部分（２１，３１，５１，６１）が、固定端部３において、固定用連結部７１により連結されており、清掃シート１が、展開端部５を展開させることにより、複数のシート部分（２１，３１，５１，６１）が順に配置されるように構成されており、複数のシート部分（２１，３１，５１，６１）の少なくとも一部が、固定用連結部７１と平行な方向における、展開端部５の伸長長さが、固定用連結部７１と平行な方向における、固定端部３の長さよりも長くなるように構成されていることを特徴とする清掃シート１。【選択図】図１
2020146442.tif 000002
【特許請求の範囲】
【請求項１】
固定端部及び展開端部を有する積層構造を有し、展開させて用いられる清掃シートであって、
前記積層構造が、お互いに直交する、第１方向と、第２方向と、厚さ方向とを備えているとともに、前記積層構造が、前記厚さ方向に順に配置されている、複数のシート部分を備えており、
前記複数のシート部分が、前記固定端部において、第１方向に沿う方向に延びている固定用連結部により連結されており、
前記清掃シートが、前記展開端部を展開させることにより、前記複数のシート部分が順に配置されるように構成されており、
前記複数のシート部分の少なくとも一部が、前記固定用連結部と平行な方向における、前記展開端部の伸長長さが、前記固定用連結部と平行な方向における、前記固定端部の長さよりも長くなるように構成されている、
ことを特徴とする、前記清掃シート。
【請求項２】
前記複数のシート部分の少なくとも一部が、前記展開端部において、前記複数のシート部分のうち、隣接するシート部分に展開用連結部により連結されている、請求項１に記載の清掃シート。
【請求項３】
前記複数のシートが、ｎ枚のシート部分から構成されており、
前記ｎ枚のシート部分が、第ｋシート部分と、第（ｋ＋１）シート部分と、第（ｋ＋２）シート部分とを含み、
第ｋシート部分及び第（ｋ＋１）シート部分が、前記展開用連結部である第ｋ展開用連結部により連結されており、
第（ｋ＋１）シート部分及び第（ｋ＋２）シート部分が、前記展開用連結部である第（ｋ＋１）展開用連結部により連結されており、
第ｋ展開用連結部を構成する複数の第ｋ展開用連結部分の少なくとも一部と、第（ｋ＋１）展開用連結部を構成する複数の第（ｋ＋１）展開用連結部分の少なくとも一部とが、前記厚さ方向に重複する位置に配置されておらず、
ここで、ｋは、１〜（ｎ−２）の範囲の少なくとも一部の整数である、
請求項２に記載の清掃シート。
【請求項４】
第（ｋ＋１）シート部分が、第２方向に沿う方向に延びている複数の折返し部により、第１方向に沿う方向に交互に折返されている、請求項３に記載の清掃シート。
【請求項５】
第（ｋ＋１）シート部分が、前記厚さ方向の一方向に突出する、複数の第１頂部であって、それらのそれぞれが第１頂面を備えているものと、前記厚さ方向の他方向に突出する複数の第２頂部であって、それらのそれぞれが第２頂面を備えているものとを備えており、複数の第ｋ展開用連結部分及び複数の第（ｋ＋１）展開用連結部分が、それぞれ、第１頂面及び第２頂面に配置されている、請求項３又は４に記載の清掃シート。
【請求項６】
平面視において、前記複数の第１頂面の総面積が、第（ｋ＋１）シート部分の面積の５０％以上且つ１００％以下である、請求項５に記載の清掃シート。
【請求項７】
平面視において、前記複数の第２頂面の総面積が、第（ｋ＋１）シート部分の面積の５０％以上且つ１００％以下である、請求項５又は６に記載の清掃シート。
【請求項８】
前記清掃シートが、複数の第ｋ展開用連結部分の少なくとも一部から前記固定端部に向かって連続的又は間欠的に延びている、第ｋシート部分及び第（ｋ＋１）シート部分を連結する第ｋ補助連結部分をさらに備えている、請求項３〜７のいずれか一項に記載の清掃シート。
【請求項９】
前記積層構造が、前記厚さ方向の両端に配置された、一対のベースシート部分をさらに含み、
前記複数のシート部分が、前記一対のベースシート部分の間で、第１方向に並んで配置されており、
前記複数のシート部分のそれぞれが、複数の折返し部により、第１方向を構成する第１方向一方向と、第１方向他方向とに交互に折返されている蛇腹構造を有する蛇腹構造シートであるとともに、前記蛇腹構造を形成する両端のシート領域が、前記一対のベースシート部分に連結されている、請求項１又は２に記載の清掃シート。
【請求項１０】
前記複数のシート部分の少なくとも一部が、前記複数の折返し部の少なくとも一部で、前記複数のシート部分のうち、第１方向に隣接するシート部分の前記複数の折返し部の少なくとも一部に連結されている、請求項９に記載の清掃シート。
【請求項１１】
固定端部及び展開端部を有する積層構造を有し、展開させて用いられる清掃シートであって、
前記積層構造が、お互いに直交する、第１方向と、第２方向と、厚さ方向とを備えているとともに、前記積層構造が、第１方向に順に配置されている、複数のシート部分を備えており、
前記複数のシート部分が、前記固定端部において、第１方向に沿う方向に延びている固定用連結部により連結されており、
前記清掃シートが、前記展開端部を展開させることにより、前記複数のシート部分が順に配置されるように構成されている、
ことを特徴とする、前記清掃シート。
【請求項１２】
前記複数のシート部分の少なくとも一部が、前記展開端部において、前記複数のシート部分のうち、隣接するシート部分に展開用連結部により連結されている、請求項１１に記載の清掃シート。
【請求項１３】
前記清掃シートが、前記複数のシート部分を構成する、積層された複数のシート状部材と、前記積層された複数のシート状部材の中央に配置された前記固定用連結部とを備えており、前記清掃シートが、前記固定用連結部のところで折り畳まれている、請求項１〜１２のいずれか一項に記載の清掃シート。
【請求項１４】
前記複数のシート部分の少なくとも一部が、熱融着性繊維を含み、前記固定用連結部が、融着部である、請求項１〜１３のいずれか一項に記載の清掃シート。
【請求項１５】
前記複数のシート部分の少なくとも一部が、保水性繊維を含み、前記清掃シートが、ウェット型の清掃シートである、請求項１〜１４のいずれか一項に記載の清掃シート。
【請求項１６】
前記清掃シートが、清掃具又は使用者が前記清掃シートを把持するための把持部をさらに備えている、請求項１〜１５のいずれか一項に記載の清掃シート。
【請求項１７】
前記把持部の開口部が、前記複数のシート部分の、前記厚さ方向の両端に配置されたシート部分に配置されている、請求項１６に記載の清掃シート。
【発明の詳細な説明】
【技術分野】
【０００１】
本開示は、清掃シートに関する。
【背景技術】
【０００２】
衛生意識の高まりから、使い捨てることが可能な清掃シートが市販されている。また、種々のタイプの清掃シートが開発されている。
例えば、特許文献１には、紙、不織布又はプラスチック樹脂からなり、ハニカム状、格子状等のセル壁で構成された立体状構造体の使い捨て清拭具、具体的には、紙、不織布又はプラスチック樹脂シートを、適宜の間隔で帯状の接着部分を設けて順次接着しながら多数枚積層し、得られた積層体の中心軸線側の端縁を接着した後、該積層体を３６０度拡げて該積層体の表裏面シートを接合することにより形成される使い捨て清拭具が開示されている。
【先行技術文献】
【特許文献】
【０００３】
【特許文献１】特開２０００−２２９０５３号公報
【発明の概要】
【発明が解決しようとする課題】
【０００４】
特許文献１に記載の使い捨て清拭具は、複数のシートを適宜の間隔で帯状の接着部分を設けて順次接着しながら多数枚積層することにより得られたものであり、複数のシートのうち、使い捨て清拭具の表面を構成する部分は、被清掃面の清掃に寄与しうるものの、複数のシートのうち、使い捨て清拭具の内部を構成する部分は、被清掃面の清掃に寄与しにくいものであった。
従って、本開示は、非展開状態においてコンパクト性に優れるとともに、展開状態において被清掃面の清掃性に優れる清掃シートを提供することを目的とする。
【課題を解決するための手段】
【０００５】
本開示者らは、固定端部及び展開端部を有する積層構造を有し、展開させて用いられる清掃シートであって、上記積層構造が、お互いに直交する、第１方向と、第２方向と、厚さ方向とを備えているとともに、上記積層構造が、上記厚さ方向に順に配置されている、複数のシート部分を備えており、上記複数のシート部分が、上記固定端部において、固定用連結部により連結されており、上記清掃シートが、上記展開端部を展開させることにより、上記複数のシート部分が順に配置されるように構成されており、上記複数のシート部分の少なくとも一部が、上記固定用連結部と平行な方向における、上記展開端部の伸長長さが、上記固定用連結部と平行な方向における、上記固定端部の長さよりも長くなるように構成されていることを特徴とする清掃シートを見出した。
【発明の効果】
【０００６】
本開示の清掃シートは、非展開状態においてコンパクト性に優れるとともに、展開状態において被清掃面の清掃性に優れる。
【図面の簡単な説明】
【０００７】
【図１】図１は、第１実施形態に従う清掃シート１を説明するための図である。
【図２】図２は、第１実施形態に従う清掃シート１を説明するための図である。
【図３】図３は、第１実施形態に従う清掃シート１を説明するための図である。
【図４】図４は、第１実施形態に従う清掃シート１を説明するための図である。
【図５】図５は、第１実施形態に従う清掃シート１を説明するための図である。
【図６】図６は、第１実施形態に従う清掃シート１を説明するための図である。
【図７】図７は、第１実施形態に従う清掃シート１を説明するための図である。
【図８】図８は、第１実施形態に従う清掃シート１を説明するための図である。
【図９】図９は、第１実施形態に従う清掃シート１を説明するための図である。
【図１０】図１０は、第２実施形態に従う清掃シート１を説明するための図である。
【図１１】図１１は、第２実施形態に従う清掃シート１を説明するための図である。
【図１２】図１２は、第２実施形態に従う清掃シート１を説明するための図である。
【図１３】図１３は、第３実施形態に従う清掃シート１を説明するための図である。
【図１４】図１４は、第３実施形態に従う清掃シート１を説明するための図である。
【図１５】図１５は、第３実施形態に従う清掃シート１を説明するための図である。
【図１６】図１６は、第４実施形態に従う清掃シート１を説明するための図である。
【図１７】図１７は、第４実施形態に従う清掃シート１を説明するための図である。
【図１８】図１８は、第４実施形態に従う清掃シート１を説明するための図である。
【図１９】図１９は、第４実施形態に従う清掃シート１を説明するための図である。
【図２０】図２０は、第５実施形態に従う清掃シート１を説明するための図である。
【図２１】図２１は、第５実施形態に従う清掃シート１を説明するための図である。
【図２２】図２２は、第５実施形態に従う清掃シート１用のハンディ用清掃具５５１を説明するための図である。
【図２３】図２３は、第６実施形態に従う清掃シート１を説明するための図である。
【図２４】図２４は、第６実施形態に従う清掃シート１を説明するための図である。
【図２５】図２５は、第６実施形態に従う清掃シート１を説明するための図である。
【図２６】図２６は、第６実施形態に従う清掃シート１を説明するための図である。
【図２７】図２７は、第７実施形態に従う清掃シート１を説明するための図である。
【図２８】図２８は、第７実施形態に従う清掃シート１を説明するための図である。
【図２９】図２９は、第８実施形態に従う清掃シート１を説明するための図である。
【図３０】図３０は、第８実施形態に従う清掃シート１を説明するための図である。
【図３１】図３１は、第９実施形態に従う清掃シート１を説明するための図である。
【図３２】図３２は、往復構造を説明するための図である。
【図３３】図３３は、シート部分を説明するための図である。
【発明を実施するための形態】
【０００８】
［定義］
・清掃シートに関する「非展開状態」及び「展開状態」
本明細書では、清掃シートに関する「非展開状態」は、清掃シートが展開していない状態、具体的には、清掃シートが、その積層構造を維持している状態を意味する。
本明細書では、清掃シートに関する「展開状態」は、清掃シートを所定の展開角度まで展開させた状態を意味する。なお、展開角度については後述する。
【０００９】
・「展開角度」
本明細書では、「展開角度」は、展開状態における清掃シートにおいて、清掃シートの積層構造を構成する複数のシート部分のうち、一方の端部のシート部分と、他方の端部のシート部分とが、その他のシート部分を間に挟んで、展開方向に有する角度を意味する。
なお、本開示の清掃シートが、複数の積層構造を備えている場合には、複数の積層構造のそれぞれが、上記展開角度を有する。
【００１０】
・「第１方向」、「第２方向」及び「厚さ方向」、並びに「展開方向」
本明細書では、非展開状態における清掃シートは、「第１方向」、「第２方向」及び「厚さ方向」、並びに「展開方向」を有する。「第１方向」は、第１方向一方向と、第１方向他方向とに区画される。「第２方向」は、第１方向と直交する方向であり、第２方向一方向と、第２方向他方向とに区画される。「展開方向」は、展開方向一方向と、展開方向他方向とに区画される。「厚さ方向」は、積層構造の厚さ方向を意味し、厚さ方向一方向と、厚さ方向他方向とに区画される。
【００１１】
・シート部分に関する「冗長度」
本明細書では、シート部分に関する冗長度は、所定の方向におけるシート部分の実際の長さ（例えば、折返されているシート部分の、折返しを解除した状態における長さ）を、所定の方向におけるシート部分の見かけ長さ（例えば、折返されているシート部分の、折返された状態における長さ）で除した値を意味する。上記所定の方向としては、第１方向に沿う方向、第１方向等が挙げられる。
冗長度を高くすることにより、清掃シートを構成する複数のシート部分の往復構造（往復構造については後述する）の波長、波高等（「波長」及び「波高」については後述する。）が大きくなる傾向があり、そして清掃シートの展開角度（より正確には、シート部分１枚当たりの展開角度）が大きくなる傾向がある。
【００１２】
・「所定の方向に沿う方向」
本明細書では、「所定の方向に沿う方向」とは、所定の方向と、好ましくは４５°未満、より好ましくは３０°以下、さらに好ましくは２０°以下、そしてさらにいっそう好ましくは５°以下の交差角を有する方向を意味する。
なお、本明細書では、「所定の方向と平行（又は並行）な方向」とは、所定の方向との交差角が５°以下である方向を意味する。
上記所定の方向としては、例えば、第１方向、第２方向、厚さ方向、展開方向等が挙げられる。
【００１３】
・清掃シートに関する、「固定端部」、「中央部」及び「展開端部」
本明細書では、清掃シートに関する「固定端部」、「中央部」及び「展開端部」は、清掃シートの積層構造において、清掃シートを、第２方向に区画する用語である。
なお、上記「展開端部」と、「固定端部」とは、第２方向において、被清掃面側の端部領域と、その反対側の端部領域とを意味し、「中央部」は、上記「展開端部」及び「固定端部」の間の領域を意味する。
【００１４】
上記「固定端部」、「中央部」及び「展開端部」は、それぞれ、清掃シートの積層構造（非展開状態における清掃シート）が、第２方向において、好ましくは４０％：２０％：４０％の長さ比、より好ましくは３０％：４０％：３０％の長さ比、そしてさらにいっそう好ましくは２０％：６０％：２０％の長さ比で区画された領域を意味する。
なお、清掃シートの積層構造において、第２方向の長さが一定ではない場合（第１方向の位置が異なる場合に、第２方向の長さが異なる場合）には、上記「固定端部」、「中央部」及び「展開端部」の長さも一定ではない。
【００１５】
・複数のシート部分に関する「往復構造」
本明細書では、「往復構造」は、複数のシート部分の少なくとも一部が採ることができる構造を意味する。上記「往復構造」は、展開状態における清掃シートにおいて、複数のシート部分のうち該当するシート部分の展開端部が、該当するシート部分が延びている方向［例えば、第１方向に沿う方向（好ましくは第１方向と平行な方向）、第２方向に沿う方向（好ましくは第２方向と平行な方向）等］において、該当するシート部分が延びている方向と交差する方向（例えば、展開方向一方向及び展開方向他方向、第２方向一方向及び第２方向他方向、第１方向一方向第１方向他方向等）に往復すること（好ましくは、複数回往復すること）を意味する。
【００１６】
上記往復構造は、シート部分の展開端部側の端縁が波形を形成するものに限定されるものではないが、理解のしやすさの観点から、波長、波高、周期等の文言を用いて説明される場合がある。なお、波長は、シート部分の展開端部側の端縁において、往復構造のあるサイクルの基準点から、往復方向の次のサイクルの基準点までの長さ（例えば、図３２に示される、第１サイクル１００１の最も展開方向一方向ＤS1よりの第１部分１００５から、第１サイクル１００１に隣接する第２サイクル１００３の最も展開方向一方向ＤS1よりの第２部分１００７までの距離Ｍ）を意味する。また、波高は、往復構造のあるサイクルにおける、シート部分が延びている方向と交差する方向（好ましくは、展開方向ＤS）の最大長さ（例えば、図３２に示される、第１サイクル１００１の最大長さＮ）を意味する。
さらに、上記往復構造において、位相が異なるとは、複数のシート部分（例えば、隣接する２つのシート部分）の間で、往復構造の基準点（例えば、最も展開方向一方向よりの部分）の位置が、シート部分が延びている方向においてずれていることを意味する。
【００１７】
本明細書では、一方のシート部分の往復構造と、他方のシート部分の往復構造とが異なるとは、上述の波長、波高及び位相の少なくとも１つが異なることを意味し、好ましくは位相が異なり、より好ましくは位相及び波長が異なり、そしてさらに好ましくは位相、波長及び波高が異なる。本開示の効果の観点からである。
なお、上記往復構造を構成するシート部分を、「壁面」と称する場合がある。
【００１８】
・複数のシート部分に関する「内方」及び「外方」
本明細書では、複数のシート部分に関する「内方」及び「外方」は、複数のシート部分の相対的な位置を示す用語である。
具体的には、あるシート部分が、他のシート部分よりも内方に配置されていることは、非展開状態における清掃シート（積層構造）において、あるシート部分が、他のシート部分よりも、複数のシート部分の枚数の中心に近いことを意味する。同様に、あるシート部分が、他のシート部分よりも外方に配置されていることは、非展開状態における清掃シート（積層構造）において、あるシート部分が、他のシート部分よりも、複数のシート部分の枚数の中心から遠いことを意味する。
なお、内方及び外方は、展開状態における清掃シートにおいて、第１方向及び第２方向（展開方向）におけるものが存在する。
【００１９】
・複数のシート部分に関する「内面」及び「外面」
本明細書において、複数のシート部分のそれぞれに関する「内面」及び「外面」は、それぞれ、非展開状態における清掃シート（積層構造）において、複数のシート部分の枚数の中心を向く面及びその反対面を意味する。
なお、内面及び外面は、展開状態における清掃シートにおいて、第１方向及び第２方向（展開方向）におけるものが存在する。
【００２０】
・固定用連結部と平行な方向における、展開端部の「伸長長さ」及び固定端部の「長さ」
本明細書において、固定用連結部と平行な方向における、展開端部の「伸長長さ」は、展開端部を伸長させた状態における、展開端部の、固定用連結部と平行な方向の長さを意味する。上述の伸長させた状態には、折り畳まれている展開端部の、折畳みを解除した状態が含まれる。
本明細書において、固定用連結部と平行な方向における、固定端部の「長さ」は、その字句通り、固定端部の、固定用連結部と平行な方向の長さを意味する。
【００２１】
具体的には、本開示は以下の態様に関する。
［態様１］
固定端部及び展開端部を有する積層構造を有し、展開させて用いられる清掃シートであって、
上記積層構造が、お互いに直交する、第１方向と、第２方向と、厚さ方向とを備えているとともに、上記積層構造が、上記厚さ方向に順に配置されている、複数のシート部分を備えており、
上記複数のシート部分が、上記固定端部において、第１方向に沿う方向に延びている固定用連結部により連結されており、
上記清掃シートが、上記展開端部を展開させることにより、上記複数のシート部分が順に配置されるように構成されており、
上記複数のシート部分の少なくとも一部が、上記固定用連結部と平行な方向における、上記展開端部の伸長長さが、上記固定用連結部と平行な方向における、上記固定端部の長さよりも長くなるように構成されている、
ことを特徴とする、上記清掃シート。
【００２２】
上記清掃シートは、所定の積層構造を有し、非展開状態を採ることができる。従って、上記清掃シートは、非展開状態においてコンパクト性に優れ、清掃シートの保管時及び廃棄時にその容積を少なくすることができる。
また、上記清掃シートは、展開状態において、複数のシート部分が順に配置されるように構成されているとともに、上記複数のシート部分の少なくとも一部が、上記固定用連結部と平行な方向における、上記展開端部の伸長長さが、上記固定用連結部と平行な方向における、上記固定端部の長さよりも長くなるように構成される「展開端部伸長長さ構造」を有する。従って、上記清掃シートを用いて被清掃面を清掃すると、上述の「展開端部伸長長さ構造」に起因して、展開状態において順に配置される複数のシート部分が、展開端部のみならず、固定端部及び展開端部の間の中央部も、清掃面として被清掃面を清掃することができ、清掃シートが、被清掃面の清掃性に優れる。
以上より、上記清掃シートは、非展開状態においてコンパクト性に優れるとともに、展開状態において被清掃面の清掃性に優れる。
【００２３】
なお、上記複数のシート部分が、上記固定用連結部と平行な方向における、上記展開端部の伸長長さが、上記固定用連結部と平行な方向における、上記固定端部の長さよりも長くなるように構成されていない場合、例えば、上記展開端部の伸長長さが、上記固定端部の長さと同一になるように構成されていると、上記中央部が、清掃面として寄与しにくくなる傾向がある。
【００２４】
［態様２］
上記複数のシート部分の少なくとも一部が、上記展開端部において、上記複数のシート部分のうち、隣接するシート部分に展開用連結部により連結されている、態様１に記載の清掃シート。
【００２５】
上記清掃シートは、複数のシート部分の少なくとも一部が、展開端部において、隣接するシート部分に展開用連結部により連結されている。従って、上記清掃シートを用いて被清掃面を清掃すると、順に配置されている複数のシート部分が、倒れにくくなり、新たな清掃面として、被清掃面に順に接しやすくなる。
以上より、上記清掃シートは、展開状態において被清掃面の清掃性に優れる。
【００２６】
［態様３］
上記複数のシートが、ｎ枚のシート部分から構成されており、
上記ｎ枚のシート部分が、第ｋシート部分と、第（ｋ＋１）シート部分と、第（ｋ＋２）シート部分とを含み、
第ｋシート部分及び第（ｋ＋１）シート部分が、上記展開用連結部である第ｋ展開用連結部により連結されており、
第（ｋ＋１）シート部分及び第（ｋ＋２）シート部分が、上記展開用連結部である第（ｋ＋１）展開用連結部により連結されており、
第ｋ展開用連結部を構成する複数の第ｋ展開用連結部分の少なくとも一部と、第（ｋ＋１）展開用連結部を構成する複数の第（ｋ＋１）展開用連結部分の少なくとも一部とが、上記厚さ方向に重複する位置に配置されておらず、
ここで、ｋは、１〜（ｎ−２）の範囲の少なくとも一部の整数である、
態様２に記載の清掃シート。
【００２７】
また、上記清掃シートのｎ枚のシート部分（複数のシート部分）では、第（ｋ＋１）シート部分（ｋは、１〜（ｎ−２）の範囲の少なくとも一部の整数である、以下省略）において、複数の第ｋ展開用連結部分の少なくとも一部と、複数の第（ｋ＋１）展開用連結部分の少なくとも一部とが、上記厚さ方向に重複する位置に配置されていない。従って、展開状態における清掃シートにおいて、第（ｋ＋１）シート部分が、展開方向一方向及び展開方向他方向に交互に往復する往復構造を形成する。また、上記清掃シートでは、第（ｋ＋１）シート部分と、第ｋシート部分及び第（ｋ＋２）シート部分とが、部分的に連結している。
なお、第ｋシート部分及び第（ｋ＋２）シート部分もまた、展開方向一方向及び展開方向他方向に交互に往復する往復構造を形成しやすくなる。
【００２８】
従って、例えば、被清掃面が平面である場合には、第（ｋ＋１）シート部分が、その往復構造に起因して、被清掃面に接触した際に不規則に変形し、複数のシート部分のある領域（以下、「第１領域」と称する）を露出させ、当該第１領域が被清掃面に接触し、当該第１領域が被清掃面を清掃することができる。
【００２９】
清掃シートを被清掃面から離間させると、第（ｋ＋１）シート部分の往復構造が、その復元力、並びに第（ｋ＋１）シート部分が部分的に第ｋシート部分及び第（ｋ＋２）シート部分と連結していることに起因して、清掃シートが、元の形状に戻ることができる（以下、清掃シートが元の形状に戻ることを「形状回復性」と称する場合がある）。
次いで、清掃シートの同じ面を被清掃面に再度接触させると、第（ｋ＋１）シート部分が不規則に変形し、第１領域と異なる領域（以下、「第２領域」と称する）を露出させ、当該第２領域が被清掃面に接触し、当該第２領域が被清掃面を清掃することができる。
【００３０】
このように、上記清掃シートは、清掃シートを被清掃面に接触させる、次いで離間させる運動を繰り返す場合であっても、第（ｋ＋１）シート部分の新たな領域を露出させ、当該新たな領域を用いて被清掃面を清掃することができるので、清掃シートが、被清掃面の清掃性に優れる（以下、清掃シートが、複数のシート部分の新たな領域を露出させることを、「新領域露出性」と称する場合がある）。
また、上記清掃シートを、被清掃面に接触させながら、清掃シートを左右に動かした場合であっても、第（ｋ＋１）シート部分が新領域露出性を発揮し、被清掃面を清掃することができる。
【００３１】
また、被清掃面が立体面（例えば、凹凸面）である場合にも、清掃シートを、被清掃面に接触させた際に、第（ｋ＋１）シート部分が、被清掃面の立体面の形状に追従することができるとともに、清掃シートを動かした際に、清掃シートが、その柔らかさ及び形状回復性を発揮して被清掃面の形状に追従することができる。また、上記清掃シートは、清掃シートを動かす際に、新領域露出性を発揮し、新たな領域を用いて、被清掃面を清掃することができる。
以上より、上記清掃シートは、非展開状態においてコンパクト性に優れるとともに、展開状態において被清掃面の清掃性に優れる。
【００３２】
［態様４］
第（ｋ＋１）シート部分が、第２方向に沿う方向に延びている複数の折返し部により、第１方向に沿う方向に交互に折返されている、態様３に記載の清掃シート。
【００３３】
上記清掃シートでは、第（ｋ＋１）シート部分が折返されている、すなわち、第（ｋ＋１）シート部分が折返し構造を有しているため、第（ｋ＋１）シート部分の往復構造の波高を大きくすることができるとともに、清掃シートの展開状態において、第（ｋ＋１）シート部分を、展開方向に大きく展開させることができ、少ない枚数のシート部分で、清掃シートの展開角度をより大きくすることができ、そして上記新領域露出性を高くすることができ、ひいては、展開状態における清掃シートが、被清掃面の清掃性に優れる。
【００３４】
［態様５］
第（ｋ＋１）シート部分が、上記厚さ方向の一方向に突出する、複数の第１頂部であって、それらのそれぞれが第１頂面を備えているものと、上記厚さ方向の他方向に突出する複数の第２頂部であって、それらのそれぞれが第２頂面を備えているものとを備えており、複数の第ｋ展開用連結部分及び複数の第（ｋ＋１）展開用連結部分が、それぞれ、第１頂面及び第２頂面に配置されている、態様３又は４に記載の清掃シート。
【００３５】
上記清掃シートでは、複数の第ｋ展開用連結部分及び複数の第（ｋ＋１）展開用連結部分が、それぞれ、第１頂面及び第２頂面に配置されているので、清掃シートの展開状態において、第（ｋ＋１）シート部分の往復構造の波高を大きくすることができるとともに、複数のシート部分を、展開方向に大きく展開させることができ、少ない枚数のシート部分で、展開角度をより大きくすることができ、そして上記新領域露出性を高くすることができ、ひいては、展開状態における清掃シートが、被清掃面の清掃性に優れる。
【００３６】
［態様６］
平面視において、上記複数の第１頂面の総面積が、第（ｋ＋１）シート部分の面積の５０％以上且つ１００％以下である、態様５に記載の清掃シート。
【００３７】
上記清掃シートでは、厚さ方向における平面視において、第１頂面の総面積が所定の範囲内にあるため、第ｋ展開用連結部を第１頂面に配置する自由度が高くなるとともに、第（ｋ＋１）シート部分の冗長度が大きくなるため、第（ｋ＋１）シート部分の往復構造の波高、並びに清掃シートの展開角度を大きくすることができ、上記新領域露出性を高くすることができる。
また、第ｋ展開用連結部が接着剤による接着部である場合には、接着剤の移動、位置ずれ等により、第１頂面以外のところに接着剤が存在しにくくなる。
【００３８】
［態様７］
平面視において、上記複数の第２頂面の総面積が、第（ｋ＋１）シート部分の面積の５０％以上且つ１００％以下である、態様５又は６に記載の清掃シート。
【００３９】
上記清掃シートでは、厚さ方向における平面視において、第２頂面の総面積が所定の範囲内にあるため、第（ｋ＋１）展開用連結部を第２頂面に配置する自由度が高くなるとともに、第（ｋ＋１）シート部分の冗長度が大きくなるため、第（ｋ＋１）シート部分の往復構造の波高、並びに清掃シートの展開角度を大きくすることができ、上記新領域露出性を高くすることができる。
また、第（ｋ＋１）展開用連結部が接着剤による接着部である場合には、接着剤の移動、位置ずれ等により、第２頂面以外のところに接着剤が存在しにくくなる。
【００４０】
［態様８］
上記清掃シートが、複数の第ｋ展開用連結部分の少なくとも一部から上記固定端部に向かって連続的又は間欠的に延びている、第ｋシート部分及び第（ｋ＋１）シート部分を連結する第ｋ補助連結部分をさらに備えている、態様３〜７のいずれか一項に記載の清掃シート。
【００４１】
上記清掃シートは、所定の第ｋ補助連結部分を備えているため、第ｋシート部分と、第（ｋ＋１）シート部分との間に、第ｋ補助連結部分を伴って形成される往復構造を保持しやすくなる。また、上記清掃シートでは、使用に伴い、第ｋ展開用連結部の連結が解除された場合であっても、第ｋ補助連結部分が、第ｋシート部分及び第（ｋ＋１）シート部分の往復構造を保持することができ、上記新領域露出性を維持することができる。従って、展開状態における清掃シートが、被清掃面の清掃性に優れる。
【００４２】
［態様９］
上記積層構造が、上記厚さ方向の両端に配置された、一対のベースシート部分をさらに含み、
上記複数のシート部分が、上記一対のベースシート部分の間で、第１方向に並んで配置されており、
上記複数のシート部分のそれぞれが、複数の折返し部により、第１方向を構成する第１方向一方向と、第１方向他方向とに交互に折返されている蛇腹構造を有する蛇腹構造シートであるとともに、上記蛇腹構造を形成する両端のシート領域が、上記一対のベースシート部分に連結されている、態様１又は２に記載の清掃シート。
【００４３】
上記清掃シートでは、複数のシート部分が、所定の蛇腹構造を有する蛇腹構造シートである。従って、蛇腹構造シートが、（ｉ）その面積を、蛇腹構造を有しないシートよりも大きくすることができ、（ｉｉ）清掃シートを第１方向に動かしながら被清掃面を清掃する場合に、複数のシートが第１方向に倒れることを抑制することができ、（ｉｉｉ）清掃シートを第２方向に動かしながら被清掃面を清掃する場合に、蛇腹構造シートを構成するシート部分の中で、あるシート部分が、被清掃面を清掃して汚れが付着した場合であっても、あるシート部分に隣接する隣接シート部分が被清掃面を清掃することができる。
以上より、清掃シートが、被清掃面の清掃性に優れる。
【００４４】
［態様１０］
上記複数のシート部分の少なくとも一部が、上記複数の折返し部の少なくとも一部で、上記複数のシート部分のうち、第１方向に隣接するシート部分の上記複数の折返し部の少なくとも一部に連結されている、態様９に記載の清掃シート。
【００４５】
上記清掃シートでは、蛇腹構造シートである複数のシート部分の少なくとも一部が、複数の折返し部の少なくとも一部で、上記複数のシート部分のうち、第１方向に隣接するシートに連結されている。従って、清掃シートを第１方向に動かしながら被清掃面を清掃する場合に、上記複数のシート部分が、複数のシートが第１方向に倒れることを抑制することができ、ひいては、清掃シートが、被清掃面の清掃性に優れる。
【００４６】
［態様１１］
固定端部及び展開端部を有する積層構造を有し、展開させて用いられる清掃シートであって、
上記積層構造が、お互いに直交する、第１方向と、第２方向と、厚さ方向とを備えているとともに、上記積層構造が、第１方向に順に配置されている、複数のシート部分を備えており、
上記複数のシート部分が、上記固定端部において、第１方向に沿う方向に延びている固定用連結部により連結されており、
上記清掃シートが、上記展開端部を展開させることにより、上記複数のシート部分が順に配置されるように構成されている、
ことを特徴とする、上記清掃シート。
【００４７】
上記清掃シートは、所定の積層構造を有し、非展開状態を採ることができる。従って、上記清掃シートは、非展開状態においてコンパクト性に優れ、清掃シートの保管時及び廃棄時にその容積を少なくすることができる。
また、上記清掃シートは、展開方向に展開させることにより、展開状態を採ることができるとともに、当該展開状態において、複数のシート部分が順に配置されるように構成されている。従って、上記清掃シートを用いて被清掃面を清掃すると、順に配置されている複数のシート部分が、新たな清掃面として、被清掃面に順に接していき、被清掃面を清掃することができ、清掃シートが、被清掃面の清掃性に優れる。
以上より、上記清掃シートは、非展開状態においてコンパクト性に優れるとともに、展開状態において被清掃面の清掃性に優れる。
【００４８】
［態様１２］
上記複数のシート部分の少なくとも一部が、上記展開端部において、上記複数のシート部分のうち、隣接するシート部分に展開用連結部により連結されている、態様１１に記載の清掃シート。
【００４９】
上記清掃シートは、複数のシート部分の少なくとも一部が、展開端部において、隣接するシート部分に展開用連結部により連結されている。従って、上記清掃シートを用いて被清掃面を清掃すると、順に配置されている複数のシート部分が、倒れにくくなり、新たな清掃面として、被清掃面に順に接しやすくなる。
以上より、上記清掃シートは、展開状態において被清掃面の清掃性に優れる。
【００５０】
［態様１３］
上記清掃シートが、上記複数のシート部分を構成する、積層された複数のシート状部材と、上記積層された複数のシート状部材の中央に配置された上記固定用連結部とを備えており、上記清掃シートが、上記固定用連結部のところで折り畳まれている、態様１〜１２のいずれか一項に記載の清掃シート。
【００５１】
上記清掃シートは、所定の構造を有するため、清掃シートが展開状態を保持しやすく、ひいては展開状態における清掃シートが、被清掃面の清掃性に優れる。
【００５２】
［態様１４］
上記複数のシート部分の少なくとも一部が、熱融着性繊維を含み、上記固定用連結部が、融着部である、態様１〜１３のいずれか一項に記載の清掃シート。
【００５３】
上記清掃シートでは、固定用連結部が融着部であるため、清掃シートを、非展開状態から展開状態に展開しやすく、ひいては展開状態における清掃シートが、被清掃面の清掃性に優れる。
【００５４】
［態様１５］
上記複数のシート部分の少なくとも一部が、保水性繊維を含み、上記清掃シートが、ウェット型の清掃シートである、態様１〜１４のいずれか一項に記載の清掃シート。
【００５５】
上記清掃シートは、ウェット型の清掃シートであるため、清掃シートを使用する際に、往復構造が保持する薬液を、被清掃面に供給し続けることができ、展開状態における清掃シートが、被清掃面の清掃性に優れる。
【００５６】
［態様１６］
上記清掃シートが、清掃具又は使用者が上記清掃シートを把持するための把持部をさらに備えている、態様１〜１５のいずれか一項に記載の清掃シート。
【００５７】
上記清掃シートは、清掃具又は使用者が清掃シートを把持するための把持部を備えている。従って、使用者が、清掃具を上記把持部に差し込んで、又は使用者が、身体の一部（例えば、手、脚等）を上記把持部に差し込んで、展開状態を保持しやすくなり、ひいては展開状態における清掃シートが、被清掃面の清掃性に優れる。
【００５８】
［態様１７］
上記把持部の開口部が、上記複数のシート部分の、上記厚さ方向の両端に配置されたシート部分に配置されている、態様１６に記載の清掃シート。
【００５９】
上記清掃シートでは、把持部の開口部が、所定のシート部分に配置されている。従って、使用者が、清掃具を上記把持部に差し込んで、又は使用者が、身体の一部を上記把持部に差し込んで、清掃シートを把持しやすく、ひいては展開状態における清掃シートが、被清掃面の清掃性に優れる。
【００６０】
［態様１８］
上記清掃シートが、上記複数のシート部分として、ベースシート第１部分と、第１シート部分と、第２シート部分と、第３シート部分と、第４シート部分と、ベースシート第２部分とをその順番で備えており、
第１シート部分、第２シート部分、第３シート部分及び第４シート部分のそれぞれが、上記厚さ方向の一方向に突出する、複数の第１頂部であって、それらのそれぞれが第１頂面を備えているものと、上記厚さ方向の他方向に突出する複数の第２頂部であって、それらのそれぞれが第２頂面を備えているものとを備えており、
複数の第１展開用連結部分及び複数の第２展開用連結部分が、第１頂面及び第２頂面に配置されている、態様１〜１７のいずれか一項に記載の清掃シート。
【００６１】
上記清掃シートでは、第１シート部分、第２シート部分、第３シート部分及び第４シート部分のそれぞれが、複数の第１頂部と、複数の第２頂部とを備えている。従って、展開状態における清掃シートにおいて、第１シート部分、第２シート部分、第３シート部分及び第４シート部分のそれぞれの往復構造の波高を大きくすることができるとともに、第１シート部分〜第４シート部分を、展開方向に大きく展開させることができる。その結果、展開状態における清掃シートが、被清掃面の清掃性に優れる。
【００６２】
［態様１９］
第２シート部分に配置された複数の第１頂部及び複数の第２頂部のそれぞれが、第１シート部分に配置された複数の第１頂部及び複数の第２頂部のそれぞれよりも小さく、そして第３シート部分に配置された複数の第１頂部及び複数の第２頂部のそれぞれが、第４シート部分に配置された複数の第１頂部及び複数の第２頂部のそれぞれよりも小さい、態様１８に記載の清掃シート。
【００６３】
上記清掃シートでは、展開状態における清掃シートにおいて、第１シート部分及び第４シート部分が、相対的に大きな波高を有する往復構造を形成し、第２シート部分及び第３シート部分が、相対的に小さな波高を有する往復構造を形成する。相対的に小さな波高を有する往復構造は、複雑な形状を有する被清掃物の細部に入り込み、被清掃物の細部の被清掃面を清浄化するとともに、被清掃物に付着していた微細なゴミを取り込むことができ、そして被清掃物に接触して変形した場合であっても元の形状に復元しやすい。また、相対的に大きな波高を有する往復構造が、被清掃物の大きな被清掃面を清浄化するとともに、内方に存在する、相対的に小さな波高を有する往復構造が取り残したゴミを取り込むことができる。
【００６４】
本開示の清掃シートについて、以下、詳細に説明する。
＜＜第１実施形態＞＞
図１〜図９は、本開示の実施形態の１つ（以下、「第１実施形態」と称する）に従う清掃シート１を説明するための図である。具体的には、図１は、ハンディ用清掃具２５１に取り付けられた、展開状態における清掃シート１の正面、底面及び右側面側の斜視図である。図２は、ハンディ用清掃具２５１に取り付けられた、展開状態における清掃シート１の背面、底面及び左側面側の斜視図である。図３及び図４は、それぞれ、ハンディ用清掃具２５１に取り付けられた、展開状態における清掃シート１の正面図及び背面図である。図５は、非展開状態における清掃シート１の正面、平面及び左側面側の斜視図である。図６は、第２シート部分３１を説明するための図である。図７は、第１シート部分２１を説明するための図である。図８は、非展開状態における清掃シート１の左側面図である。図９は、清掃シート１の製造方法を説明するための図である。
【００６５】
なお、展開状態における清掃シート１では、厚さ方向一方向Ｔ1の下手、厚さ方向他方向Ｔ2の下手、第１方向一方向Ｄ11の下手、及び第１方向他方向Ｄ12の下手から清掃シート１を観察した状態を、それぞれ、正面、背面、平面及び底面として取り扱う。
また、非展開状態における清掃シート１では、ベースシート第１部分１３ａの側を正面とし、ベースシート第２部分１３ｂ側を背面とする以外は、展開状態における清掃シート１と同様である。
【００６６】
第１実施形態に従う清掃シート１は、展開方向ＤSに展開し、ハンディ用清掃具２５１に取り付けられて用いられる清掃シートである。また、第１実施形態に従う清掃シート１は、薬液を含む、ウェット型の清掃シートである。第１実施形態に従う清掃シート１は、非展開状態と、展開状態とを形成することができ、具体的には、展開状態における、単一の清掃シート部分１９と、非展開状態における、単一の積層構造１７とを形成することができる。また、第１実施形態に従う清掃シート１では、展開状態において、清掃シート部分１９が、約１８０°の展開角度を有する。
【００６７】
非展開状態における清掃シート１（積層構造１７）は、お互いに直交する、第１方向Ｄ1と、第２方向Ｄ2と、厚さ方向Ｔとを備えている。第２方向Ｄ2は、平面視において展開方向ＤSと一致する。第１方向Ｄ1は、お互いに反対方向である第１方向一方向Ｄ11と、第１方向他方向Ｄ12とに区画され、第２方向Ｄ2は、お互いに反対方向である第２方向一方向Ｄ21と、第２方向他方向Ｄ22とに区画され、厚さ方向Ｔは、お互いに反対方向である厚さ方向一方向Ｔ1と、厚さ方向他方向Ｔ2とに区画される。展開方向ＤSは、お互いに反対方向である展開方向一方向ＤS1と、展開方向他方向ＤS2とに区画される。
【００６８】
なお、展開状態における清掃シート１（清掃シート部分１９）は、非展開状態における清掃シート１（積層構造１７）と、後述する、ベースシート第２部分１３ｂが同一の方向を有するように、第１方向Ｄ1、第２方向Ｄ2及び厚さ方向Ｔ、並びに展開方向ＤSを備えている。
【００６９】
積層構造１７では、複数のシート部分は、厚さ方向一方向Ｔ1において、順番に、ベースシート第１部分１３ａ、第１シート部分２１、第２シート部分３１、第３シート部分５１、第４シート部分６１、及びベースシート第２部分１３ｂから構成されている。ベースシート第１部分１３ａは、第１シート部分２１と反対側の面に配置された、把持部９１を形成するための把持部形成用シート第１部分１１ａを備えている。また、ベースシート第２部分１３ｂは、第４シート部分６１と反対側の面に配置された、把持部９１を形成するための把持部形成用シート第２部分１１ｂを備えている。
【００７０】
非展開状態において、積層構造１７は、固定端部３及び展開端部５を有し、固定端部３及び展開端部５のそれぞれは、第１方向Ｄ1と平行な方向に延びており、固定端部３及び展開端部５は、中央部７を間に挟んで、第２方向Ｄ2に離間して配置されている。
非展開状態における清掃シート１（図５を参照）は、固定端部３を軸として、展開端部５を展開方向ＤSに展開することにより、展開状態における清掃シート１（図１〜図４を参照）が形成され、展開状態における清掃シート１が、被清掃面の清掃に用いられる。
【００７１】
なお、第１シート部分２１、第２シート部分３１、第３シート部分５１及び第４シート部分６１のそれぞれでは、後述の固定用連結部７１と平行な方向（第１方向Ｄ1）における、展開端部５の伸長長さが、固定用連結部７１と平行な方向（第１方向Ｄ1）における、固定端部３の長さよりも長い。
【００７２】
把持部形成用シート第１部分１１ａ、第１シート部分２１、第２シート部分３１、第３シート部分５１、第４シート部分６１、及び把持部形成用シート第２部分１１ｂのそれぞれは、熱融着性繊維と、保水性繊維とを含むスパンレース不織布から構成されており、薬液を含んでいる。また、ベースシート第１部分１３ａ及びベースシート第２部分１３ｂは、熱融着性繊維からなるスパンボンド不織布から構成されている。
【００７３】
図６に示されるように、第２シート部分３１は、第２方向Ｄ2に延びている複数の折返し部（符号を付していない）により、第１方向Ｄ1に交互に折返されており、厚さ方向一方向Ｔ1に突出する、複数の第２シート部分第１頂部３３であって、それらのそれぞれが第２シート部分第１頂面３３ａを備えているものと、厚さ方向他方向Ｔ2に突出する複数の第２シート部分第２頂部３５であって、それらのそれぞれが第２シート部分第２頂面３５ａを備えているものとを備えている。
【００７４】
換言すると、第２シート部分３１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第２Ω1構造３７と、厚さ方向他方向Ｔ2に突出する、複数の第２Ω2構造３９とを有しており、複数の第２Ω1構造３７は、第１方向Ｄ1に連続しており、複数の第２Ω2構造３９は、第１方向Ｄ1に連続している。また、複数の第２Ω1構造３７のそれぞれと、複数の第２Ω2構造３９のそれぞれとは、向きは逆であるが同一の形状（第２Ω1構造３７を基準とすると、「第２Ω2構造３９＝第２Ω1構造３７」となる。）を有し、第１方向Ｄ1に交互に配置されている。
【００７５】
具体的には、複数の第２Ω1構造３７のそれぞれは、第２シート部分第１頂面３３ａと、第２シート部分第１頂面３３ａの両端から延びている、一対の第１壁部４１と、一対の第１壁部４１の端縁から延びている、一対の第１底部４３とを備えて。また、複数の第２Ω2構造３９のそれぞれは、第２シート部分第２頂面３５ａと、第２シート部分第２頂面３５ａの両端から延びている、一対の第２壁部４５と、一対の第２壁部４５の端縁から延びている、一対の第２底部４７とを備えている。
【００７６】
複数の第２Ω1構造３７のそれぞれにおける一対の第１底部４３は、第２Ω2構造３９の第２シート部分第２頂面３５ａを構成し、そして複数の第２Ω2構造３９のそれぞれにおける一対の第２底部４７は、第２Ω1構造３７の第２シート部分第１頂面３３ａを構成する。
【００７７】
第２Ω1構造３７のそれぞれにおいて、第２シート部分第１頂面３３ａと、一対の第１壁部４１のそれぞれと、一対の第１底部４３のそれぞれとは、２：１：１の長さ比（第１方向Ｄ1における長さ比）を有している。従って、平面視（第２シート部分第１頂面３３ａ側からの平面視）において、第２シート部分第１頂面３３ａの総面積は、第２シート部分３１の面積の略１００％である。
【００７８】
また、第２Ω2構造３９のそれぞれにおいて、第２シート部分第２頂面３５ａと、一対の第２壁部４５のそれぞれと、一対の第２底部４７のそれぞれとは、２：１：１の長さ比（第１方向Ｄ1における長さ比）を有している。従って、平面視（第２シート部分第２頂面３５ａ側からの平面視）において、第２シート部分第２頂面３５ａの総面積は、第２シート部分３１の面積の略１００％である。また、第２シート部分３１の冗長度は、３．０である。
【００７９】
第２シート部分３１は、上述の複数の折返し部（複数の第２Ω1構造３７及び複数の第２Ω2構造３９）を有するとともに、上記折返し部（複数の第２Ω1構造３７及び複数の第２Ω2構造３９）を有した状態で、固定端部３において、固定用連結部７１により連結されている。従って、第２シート部分３１は、固定端部３において、折返し部（複数の第２Ω1構造３７及び複数の第２Ω2構造３９）を開放しえないが、展開端部５では、折返し部（複数の第２Ω1構造３７及び複数の第２Ω2構造３９）を開放することができる。それにより、第２シート部分３１では、固定用連結部７１と平行な方向（第１方向Ｄ1）における、展開端部５の伸長長さが、固定用連結部７１と平行な方向（第１方向Ｄ1）における、固定端部３の長さよりも長くなる。
【００８０】
図８に示されるように、第３シート部分５１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第３Ω1構造５３と、厚さ方向他方向Ｔ2に突出する、複数の第３Ω2構造５５とを有しており、複数の第３Ω1構造５３は、第１方向Ｄ1に連続しており、複数の第３Ω2構造５５は、第１方向Ｄ1に連続している。
【００８１】
また、複数の第３Ω1構造５３のそれぞれと、複数の第３Ω2構造５５のそれぞれとは、それぞれ、第２シート部分３１における、複数の第２Ω1構造３７のそれぞれと、複数の第２Ω2構造３９のそれぞれと同一の形状（第２Ω1構造３７を基準とすると、「第３Ω1構造５３＝第３Ω2構造５５＝第２Ω1構造３７」となる。）を有するが、複数の第３Ω1構造５３のそれぞれは、複数の第２Ω2構造３９のそれぞれと向かい合うように、特に、厚さ方向Ｔに一致するように配置されている。
第３シート部分５１では、第２シート部分３１と同様の理由により、固定用連結部７１と平行な方向（第１方向Ｄ1）における、展開端部５の伸長長さが、固定用連結部７１と平行な方向（第１方向Ｄ1）における、固定端部３の長さよりも長くなる。
【００８２】
図７に示されるように、第１シート部分２１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第１Ω1構造２３と、厚さ方向他方向Ｔ2に突出する、複数の第１Ω2構造２５とを有しており、複数の第１Ω1構造２３は、第１方向Ｄ1に連続しており、複数の第１Ω2構造２５は、第１方向Ｄ1に連続している。
【００８３】
複数の第１Ω1構造２３のそれぞれと、複数の第１Ω2構造２５のそれぞれとは、向きは逆であるが同一の形状を有し、第１方向Ｄ1に交互に配置されている。また、複数の第１Ω1構造２３のそれぞれと、複数の第１Ω2構造２５のそれぞれとは、それぞれ、第２シート部分３１における、複数の第２Ω1構造３７のそれぞれと、複数の第２Ω2構造３９のそれぞれよりも大きく且つ相似形（第２Ω1構造３７を基準とすると、「第１Ω1構造２３＝第１Ω2構造２５＞第２Ω1構造３７」となる。）を有する。
第１シート部分２１では、第２シート部分３１と同様の理由により、固定用連結部７１と平行な方向（第１方向Ｄ1）における、展開端部５の伸長長さが、固定用連結部７１と平行な方向（第１方向Ｄ1）における、固定端部３の長さよりも長くなる。
【００８４】
図８に示されるように、第４シート部分６１は、厚さ方向一方向Ｔ1に突出する、複数のΩ1構造と、厚さ方向他方向Ｔ2に突出する、複数のΩ2構造、具体的には、厚さ方向一方向Ｔ1に突出する、複数の第４Ω1構造６３と、厚さ方向他方向Ｔ2に突出する、複数の第４Ω2構造６５とを有しており、複数の第４Ω1構造６３は、第１方向Ｄ1に連続しており、複数の第４Ω2構造６５は、第１方向Ｄ1に連続している。
【００８５】
複数の第４Ω1構造６３のそれぞれと、複数の第４Ω2構造６５のそれぞれとは、それぞれ、第１シート部分２１における、複数の第１Ω1構造２３のそれぞれと、複数の第１Ω2構造２５のそれぞれと同一の形状を有する（第２Ω1構造３７を基準とすると、「第４Ω1構造６３＝第４Ω2構造６５＞第２Ω1構造３７」となる。）が、複数の第４Ω1構造６３のそれぞれは、複数の第１Ω2構造２５のそれぞれと向かい合うように、特に、厚さ方向Ｔに一致するように配置されている。
第４シート部分６１では、第２シート部分３１と同様の理由により、固定用連結部７１と平行な方向（第１方向Ｄ1）における、展開端部５の伸長長さが、固定用連結部７１と平行な方向（第１方向Ｄ1）における、固定端部３の長さよりも長くなる。
【００８６】
積層構造１７は、固定端部３において、把持部形成用シート第１部分１１ａから把持部形成用シート第２部分１１ｂまでを融着することにより形成された融着部からなる固定用連結部７１を備えている。固定用連結部７１は、第１方向Ｄ1と平行に延びており、把持部形成用シート第１部分１１ａから把持部形成用シート第２部分１１ｂまでを連結している。
【００８７】
積層構造１７は、展開端部５において、接着剤により構成された展開用連結部７３により連結されている。展開用連結部７３は、第１シート部分２１及び第２シート部分３１を連結する第１展開用連結部７５と、第２シート部分３１及び第３シート部分５１を連結する第２展開用連結部７７と、第３シート部分５１及び第４シート部分６１を連結する第３展開用連結部７９と、第４シート部分６１及びベースシート第２部分１３ｂを連結する第４展開用連結部８１と、ベースシート第１部分１３ａ及び第１シート部分２１を連結する第５展開用連結部８３とを備えている。
【００８８】
第１シート部分２１及び第２シート部分３１を連結する第１展開用連結部７５は、第２シート部分３１の複数の第２Ω1構造３７のそれぞれの第２シート部分第１頂面３３ａの中央（第１方向Ｄ1の中央）に配置された６個の第１展開用連結部分７５ａを備えている。なお、６個の第１展開用連結部分７５ａには、第１シート部分２１の第１方向Ｄ1の両端に配置された２個の第１展開用連結部分７５ａも含まれる。
【００８９】
第２シート部分３１及び第３シート部分５１を連結する第２展開用連結部７７は、第２シート部分３１の複数の第２Ω2構造３９のそれぞれの第２シート部分第２頂面３５ａの中央（第１方向Ｄ1の中央）に配置された５個の第２展開用連結部分７７ａを備えている。複数の第２Ω2構造３９のそれぞれと、複数の第３Ω1構造５３のそれぞれとは、厚さ方向Ｔに一致するように配置されているので、第２展開用連結部分７７ａは、複数の第３Ω1構造５３のそれぞれの第３シート部分第１頂面５７ａの中央（第１方向Ｄ1の中央）に配置されているともいえる。
【００９０】
６個の第１展開用連結部分７５ａと、５個の第２展開用連結部分７７ａとは、厚さ方向Ｔに重複しないように、第１方向Ｄ1に離間して配置されている。６個の第１展開用連結部分７５ａと、５個の第２展開用連結部分７７ａとは、第２Ω1構造３７の第１方向Ｄ1の長さ（＝第２Ω2構造３９の第１方向Ｄ1の長さ）の半分だけ、第１方向Ｄ1に離間して配置されている。
【００９１】
第３シート部分５１及び第４シート部分６１を連結する第３展開用連結部７９は、第３シート部分５１の複数の第３Ω2構造５５のそれぞれの第３シート部分第２頂面（符号を付していない）の中央（第１方向Ｄ1の中央）に配置された６個の第３展開用連結部分７９ａを備えている。なお、６個の第３展開用連結部分７９ａには、第３シート部分５１の第１方向Ｄ1の両端に配置された２個の第３展開用連結部分７９ａが含まれる。第３展開用連結部７９の６個の第３展開用連結部分７９ａは、第１展開用連結部７５の６個の第１展開用連結部分７５ａと、厚さ方向Ｔに重複するように配置されている。
【００９２】
従って、第３展開用連結部７９の６個の第３展開用連結部分７９ａは、第２展開用連結部７７の５個の第２展開用連結部分７７ａと、第３Ω1構造５３の第１方向Ｄ1の長さ（＝第３Ω2構造５５の第１方向Ｄ1の長さ）の半分だけ、第１方向Ｄ1に離間して配置されている。第３展開用連結部７９の６個の第３展開用連結部分７９ａは、第２展開用連結部７７の５個の第２展開用連結部分７７ａと、厚さ方向Ｔに重複しないように配置されている。
【００９３】
第４シート部分６１及びベースシート第２部分１３ｂを連結する第４展開用連結部８１は、第４シート部分６１の複数の第４Ω2構造６５のそれぞれの第４シート部分第２頂面６７ａの中央（第１方向Ｄ1の中央）に配置された５個の第４展開用連結部分８１ａを備えている。なお、５個の第４展開用連結部分８１ａには、第４シート部分６１の第１方向Ｄ1の両端に配置された２個の第４展開用連結部分８１ａが含まれる。第４展開用連結部８１の５個の第４展開用連結部分８１ａは、第４シート部分６１の第１方向Ｄ1の両端に配置された２個の第４展開用連結部分８１ａを除いて、第３展開用連結部７９の６個の第３展開用連結部分７９ａと、厚さ方向Ｔに重複しないように配置されている。
【００９４】
ベースシート第１部分１３ａ及び第１シート部分２１とを連結する第５展開用連結部８３は、第１シート部分２１の複数の第１Ω1構造２３のそれぞれの第１シート部分第１頂面２７ａの中央（第１方向Ｄ1の中央）に配置された５個の第５展開用連結部分８３ａを備えている。なお、５個の第５展開用連結部分８３ａには、第１シート部分２１の第１方向Ｄ1の両端に配置された２個の第５展開用連結部分８３ａが含まれる。第４展開用連結部８１の５個の第４展開用連結部分８１ａは、第５展開用連結部８３の５個の第５展開用連結部分８３ａと、厚さ方向Ｔに重複するように配置されている。第５展開用連結部８３の５個の第５展開用連結部分８３ａは、第１シート部分２１の第１方向Ｄ1の両端に配置された２個の第５展開用連結部分８３ａを除き、第１展開用連結部７５の６個の第１展開用連結部分７５ａと、厚さ方向Ｔに重複しないように配置されている。
【００９５】
なお、ベースシート第１部分１３ａ及び把持部形成用シート第１部分１１ａと、ベースシート第２部分１３ｂ及び把持部形成用シート第２部分１１ｂとには、ハンディ用清掃具２５１を把持させるための把持部９１を形成するように把持部用融着部１５が形成されている。把持部用融着部１５は、公知の部分であるため説明を省略する。
【００９６】
図５に示されるように、非展開状態における清掃シート１は、ベースシート第１部分１３ａ及びベースシート第２部分１３ｂを、複数のシート部分（すなわち、第１シート部分２１、第２シート部分３１、第３シート部分５１及び第４シート部分６１）よりも、第１方向他方向Ｄ12側（把持部９１側）に長く構成させることにより形成された、一対の展開用把持部８５を備えている。一対の展開用把持部８５（ベースシート第１部分１３ａ及びベースシート第２部分１３ｂ）は、厚さ方向Ｔに所定距離ｄだけ離間しているので、使用者が、一対の展開用把持部８５を把持して、清掃シート１を展開させやすい。
【００９７】
非展開状態における清掃シート１の一対の展開用把持部８５を把持し、ベースシート第１部分１３ａをベースシート第２部分１３ｂから遠ざかるように展開方向ＤSに展開させると、ベースシート第１部分１３ａに連結している第１シート部分２１、第２シート部分３１、第３シート部分５１、第４シート部分６１、及びベースシート第２部分１３ｂが順に展開方向ＤSに展開する。
【００９８】
次いで、展開状態における清掃シート１では、上記展開に伴い、第１シート部分２１は、複数のΩ構造を有することに加え、第１シート部分２１が、第１展開用連結部分７５ａのところで、展開方向一方向ＤS1又は展開方向他方向ＤS2に引っ張られることになる。従って、第１方向一方向Ｄ11（第１方向他方向Ｄ12）において、第１シート部分２１の展開端部５が、展開方向一方向ＤS1及び展開方向他方向ＤS2に交互に往復する第１往復構造９３を有する。
【００９９】
同様に、展開状態における清掃シート１では、第２シート部分３１、第３シート部分５１及び第４シート部分６１が、それぞれ、第１方向一方向Ｄ11（第１方向他方向Ｄ12）において、第２シート部分３１、第３シート部分５１及び第４シート部分６１の展開端部５が、展開方向一方向ＤS1及び展開方向他方向ＤS2に交互に往復する、第２往復構造９５、第３往復構造９７及び第４往復構造９９を有する。
【０１００】
第２シート部分３１及び第３シート部分５１が有するΩ構造は、第１シート部分２１及び第４シート部分６１が有するΩ構造よりも小さいので、第２シート部分３１が有する第２往復構造９５と、第３シート部分５１が有する第３往復構造９７とのそれぞれは、第１シート部分２１が有する第１往復構造９３と、第４シート部分６１が有する第４往復構造９９とのそれぞれよりも波高が小さくなる傾向がある。
【０１０１】
従って、相対的に小さな波高を有する第２往復構造９５及び第３往復構造９７が、その形状を柔軟に変化させながら、複雑な形状を有する被清掃物の細部に入り込み、第２往復構造９５及び第３往復構造９７を構成する壁面が被清掃物の細部の被清掃面を清浄化するとともに、被清掃物に付着していた微細なゴミを取り込むことができ、そして被清掃物に接触して変形した場合であっても元の形状に復元しやすい。また、相対的に大きな波高を有する第１往復構造９３及び第４往復構造９９を構成する壁面が、その形状を柔軟に変化させながら、被清掃物の大きな被清掃面を清浄化するとともに、第２往復構造９５及び第３往復構造９７が取り残したゴミを取り込むことができる。
【０１０２】
第１実施形態に従う清掃シート１は、例えば、以下の通り、製造することができる。
第１不織布２０１、第２不織布２０３、ベースシート２０５、及び把持部形成用シート２０７をその順番で積層し、積層シート２０９を形成する。積層シート２０９の分解斜視図を図９に示す。なお、ベースシート２０５には、把持部形成用シート２０７が融着され、それらの間に把持部９１が形成されている。
【０１０３】
次いで、積層シート２０９を、第２方向Ｄ2の中心を通り、第１方向Ｄ1に延びる第１方向中心線ＣＬ1に沿って融着させ、融着部２１１を形成する。次いで、積層シート２０９を、融着部２１１のところで折畳み、折り畳まれた積層シート２０９に、接着剤を用いて第１展開用連結部７５〜第５展開用連結部８３を形成することにより、清掃シート１が形成される。
【０１０４】
なお、融着部２１１が、固定用連結部７１を構成する。また、第１不織布２０１は、融着部２１１（固定用連結部７１）を間に挟んで、第２シート部分３１及び第３シート部分５１を構成する。第２不織布２０３は、融着部２１１（固定用連結部７１）を間に挟んで、第１シート部分２１及び第４シート部分６１を構成する。ベースシート２０５は、融着部２１１（固定用連結部７１）を間に挟んで、ベースシート第１部分１３ａ及びベースシート第２部分１３ｂを構成する。把持部形成用シート２０７は、融着部２１１（固定用連結部７１）を間に挟んで、把持部形成用シート第１部分１１ａ及び把持部形成用シート第２部分１１ｂを構成する。
【０１０５】
＜＜第２実施形態＞＞
図１０〜図１２は、本開示の別の実施形態（以下、「第２実施形態」と称する）に従う清掃シート１を説明するための図である。具体的には、図１０は、展開状態における清掃シート１の正面、平面及び左側面側の斜視図である。図１１は、非展開状態における清掃シート１の左側面図であり、第１実施形態に従う、非展開状態における清掃シート１の左側面図に相当する。図１２は、非展開状態における清掃シート１の正面、平面及び左側面側の斜視図である。
【０１０６】
第２実施形態に従う清掃シート１は、展開方向ＤSに展開し、ハンディ用清掃具２５１（第１実施形態を参照）に取り付けられて用いられる清掃シートである。また、第２実施形態に従う清掃シート１は、薬液を含む、ウェット型の清掃シートである。第２実施形態に従う清掃シート１は、非展開状態と、展開状態とを形成することができ、具体的には、展開状態における、単一の清掃シート部分１９と、非展開状態における、単一の積層構造１７とを形成することができる。また、第２実施形態に従う清掃シート１は、展開状態において、約１８０°の展開角度を有する。
【０１０７】
非展開状態における清掃シート１（積層構造１７）及び展開状態における清掃シート１（清掃シート部分１９）は、お互いに直交する、第１方向Ｄ1、第２方向Ｄ2及び厚さ方向Ｔ、並びに展開方向ＤSを備えている。非展開状態における清掃シート１（積層構造１７）及び展開状態における清掃シート１（清掃シート部分１９）における第１方向Ｄ1、第２方向Ｄ2及び厚さ方向Ｔ、並びに展開方向ＤSは、第１実施形態のものと同様である。
【０１０８】
第２実施形態に従う清掃シート１は、非展開状態において、ベースシート第１部分１３ａ、第１シート部分１０１〜第１８シート部分１３５、及びベースシート第２部分１３ｂの計２０のシート部分が積層された積層構造１７を有している。なお、図１０では、角度の関係上、第２シート部分及び第４シート部分が図示されていない。また、図１１では、説明の簡略化のため、第１シート部分１０１、第２シート部分１０３及び第３シート部分１０５、並びに第１６シート部分１３１、第１７シート部分１３３及び第１８シート部分１３５が示されているが、第４シート部分〜第１５シート部分１２９は、省略されている。
第１シート部分１０１〜第１８シート部分１３５は、第１方向Ｄ1に折返されていない。
【０１０９】
図１２に示されるように、第１シート部分１０１〜第１８シート部分１３５のそれぞれは、固定用連結部７１と平行な方向（第１方向Ｄ1）において、展開端部５の伸長長さＬ1と、固定用連結部７１と平行な方向（第１方向Ｄ1）における、固定端部３の長さＬ2とを有し、展開端部５の伸長長さＬ1が、固定端部３の長さＬ2よりも長くなるように構成されている。
また、ベースシート第１部分１３ａ及びベースシート第２部分１３ｂのそれぞれも、固定用連結部７１と平行な方向（第１方向Ｄ1）における、展開端部５の伸長長さ（図示せず）が、固定用連結部７１と平行な方向（第１方向Ｄ1）における、固定端部３の長さよりも長く（図示せず）なるように構成されている。
【０１１０】
ベースシート第１部分１３ａは、第１シート部分１０１と反対側の面に配置された、把持部９１を形成するための把持部形成用シート第１部分１１ａを備えている。また、ベースシート第２部分１３ｂは、第１８シート部分１３５と反対側の面に配置された、把持部９１を形成するための把持部形成用シート第２部分１１ｂを備えている。
また、非展開状態における清掃シート１は、ベースシート第１部分１３ａ及びベースシート第２部分１３ｂを、複数のシート部分（すなわち、第１シート部分１０１〜第４シート部分１０７）よりも、第１方向他方向Ｄ12側（把持部９１側）に長く構成させることにより形成された、一対の展開用把持部８５を備えている。一対の展開用把持部８５は、厚さ方向Ｔに所定距離ｄだけ離間しているので、使用者が、一対の展開用把持部８５を把持して、清掃シート１を展開させやすい。
【０１１１】
積層構造１７は、展開端部５において、接着剤により構成された展開用連結部７３により連結されている。
第２実施形態に従う清掃シート１では、積層構造１７を形成する複数のシート部分の枚数が多いため、文字式を利用すると、清掃シート１は、第ｎシート部分を含むｎ枚のシート部分（ｎ＝１〜１８）と、ベースシート第１部分１３ａと、ベースシート第２部分１３ｂとを備えている。
【０１１２】
展開用連結部７３は、第ｎシート部分及び第（ｎ＋１）シート部分を連結する第ｎ展開用連結部（ｎ＝１〜１７）を備えている。なお、図１１では、説明の簡略化のため、第１シート部分１０１及び第２シート部分１０３を連結する第１展開用連結部１４１と、第２シート部分１０３及び第３シート部分１０５を連結する第２展開用連結部１４３と、第３シート部分１０５及び第４シート部分（図示せず）を連結する第３展開用連結部１４５と、第１５シート部分（図示せず）及び第１６シート部分１３１を連結する第１５展開用連結部１４７と、第１６シート部分１３１及び第１７シート部分１３３を連結する第１６展開用連結部１４９と、第１７シート部分１３３及び第１８シート部分１３５を連結する第１７展開用連結部１５１とが示されている。
【０１１３】
また、展開用連結部７３は、第１８シート部分１３５及びベースシート第２部分１３ｂを連結する第１８展開用連結部１５３と、ベースシート第１部分１３ａ及び第１シート部分１０１を連結する第１９展開用連結部１５５とを備えている。
【０１１４】
第ｎ展開用連結部（ｎ＝１〜１９）は、第１方向Ｄ1に間欠的、具体的には、所定距離Ｌだけ離間して繰り返し配置されている、複数の第ｎ展開用連結部分（ｎ＝１〜１９）を備えている。なお、図１１では、説明の簡略化のため、第１展開用連結部分１４１ａ〜第３展開用連結部分１４５ａ、及び第１５展開用連結部分１４７ａ〜第１９展開用連結部分１５５ａのみが示されている。
【０１１５】
第ｎ展開用連結部（ｎ＝１〜１８）のうち、ｎ＝２ｋ−１（ｋ＝１〜９）の要件を満たすものでは、複数の第ｎ展開用連結部分が、厚さ方向Ｔに一致するように配置されている。また、第ｎ展開用連結部（ｎ＝１〜１８）のうち、ｎ＝２ｋ（ｋ＝１〜９）の要件を満たすものと、第１９展開用連結部１５５とでは、複数の第ｎ展開用連結部分（ｎ＝１〜１９）が、厚さ方向Ｔに一致するように配置されている。
また、第ｎ展開用連結部（ｎ＝１〜１８）のうち、ｎ＝２ｋ−１（ｋ＝１〜９）の要件を満たすものと、第ｎ展開用連結部（ｎ＝１〜１８）のうち、ｎ＝２ｋ（ｋ＝１〜９）の要件を満たすもの及び第１９展開用連結部１５５とが、厚さ方向Ｔに重複しないように、具体的には、第１方向Ｄ1に、０．５Ｌだけ離間して配置されている。
【０１１６】
また、清掃シート１は、第ｎ展開用連結部（ｎ＝１〜１９）の複数の第ｎ展開用連結部分（ｎ＝１〜１９）のそれぞれを起点に、展開端部５から中央部７を通って固定端部３を終点とする第ｎ補助連結部分（ｎ＝１〜１９）を備えている。なお、図１０では、第ｎ補助連結部分のうち、第１６補助連結部分１４９ｂ及び第１８補助連結部分１５３ｂが示されている。
【０１１７】
図１０に示されるように、展開状態における清掃シート１では、第ｎシート部分（ｎ＝１〜１８）が、展開方向一方向ＤS1と、展開方向他方向ＤS2に交互に往復する第ｎ往復構造（ｎ＝１〜１８）を有することになる。なお、図１０では、角度の関係上、第ｎ往復構造（ｎ＝１〜１８）のうち、第２シート部分から構成される第２往復構造と、第４シート部分から構成される第４往復構造とが図示されていない。
【０１１８】
第２実施形態に従う清掃シート１は、展開状態において、第ｎシート部分（ｎ＝１〜１８）のそれぞれが、展開方向一方向ＤS1及び展開方向他方向ＤS2に交互に往復する第ｎ往復構造（ｎ＝１〜１８）を形成することができる。
なお、第１シート部分１０１〜第１８シート部分１３５のそれぞれは、展開端部５の伸長長さＬ1が、固定端部３の長さＬ2よりも長くなるように構成されている。従って、清掃シート１が、非展開状態から展開状態に変形する際に、第１シート部分１０１〜第１８シート部分１３５のそれぞれの展開端部５が、固定用連結部７１と平行な方向（第１方向Ｄ1）に幅入りし、第ｎ往復構造（ｎ＝１〜１８）の振幅を大きくすることができ、第ｎ往復構造（ｎ＝１〜１８）を構成する壁面が、その形状を柔軟に変化させながら、被清掃面を清掃することができる。
【０１１９】
また、第２実施形態に従う清掃シート１は、第ｎ補助連結部分（ｎ＝１〜１９）を備えていることから、被清掃面の清掃に伴い、第ｎ展開用連結部（ｎ＝１〜１９）の複数の第ｎ展開用連結部分（ｎ＝１〜１９）が外れた場合であっても、第ｎ補助連結部分（ｎ＝１〜１９）が、第ｎ往復構造（ｎ＝１〜１８）の形状を保持するように機能し、清掃シート１が、清掃性に優れることができる。
【０１２０】
第２実施形態に従う清掃シート１は、それ以外の部分については、第１実施形態に従う清掃シート１と同様であるため、説明を省略する。
【０１２１】
＜＜第３実施形態＞＞
図１３〜図１５は、本開示の別の実施形態（以下、「第３実施形態」と称する）に従う清掃シート１を説明するための図である。具体的には、図１３は、展開状態における清掃シート１の正面、平面及び左側面側の斜視図である。図１４は、非展開状態における清掃シート１の正面、平面及び左側面側の斜視図である。図１５は、清掃シート１を、片面清掃型のフロア用清掃具３５１に取付けた状態を示す図である。
【０１２２】
第３実施形態に従う清掃シート１は、展開方向ＤSに展開し、フロア用清掃具３５１に取り付けられて用いられる清掃シートである。また、第３実施形態に従う清掃シート１は、薬液を含む、ウェット型の清掃シートである。第３実施形態に従う清掃シート１は、非展開状態と、展開状態とを形成することができ、具体的には、展開状態における、単一の清掃シート部分１９と、非展開状態における、単一の積層構造１７とを形成することができる。また、第３実施形態に従う清掃シート１は、展開状態において、約１８０°の展開角度を有する。
【０１２３】
非展開状態における清掃シート１（積層構造１７）は、お互いに直交する、第１方向Ｄ1、第２方向Ｄ2、厚さ方向Ｔ、並びに展開方向ＤSを備えている。非展開状態における清掃シート１（積層構造１７）における第１方向Ｄ1、第２方向Ｄ2、厚さ方向Ｔ、並びに展開方向ＤSは、第１実施形態に示されるものと同様である。展開状態における清掃シート１（清掃シート部分１９）は、非展開状態における清掃シート１（積層構造１７）と、後述する、ベースシート第２部分３０１ｂが同一の方向を有するように、第１方向Ｄ1、第２方向Ｄ2及び厚さ方向Ｔ、並びに展開方向ＤSを備えている。
【０１２４】
非展開状態における清掃シート１は、厚さ方向Ｔにおいて、複数のシート部分が積層された、１つの積層構造１７を有する。非展開状態において、積層構造１７は、固定端部３及び展開端部５を有し、固定端部３及び展開端部５のそれぞれは、第１方向Ｄ1と平行な方向に延びており、固定端部３及び展開端部５は、中央部７を間に挟んで、第２方向Ｄ2に離間して配置されている。
【０１２５】
また、積層構造１７では、複数のシート部分は、厚さ方向一方向Ｔ1において、順番に、ベースシート第１部分３０１ａ、第１シート部分３０３、第２シート部分３０５、第３シート部分３０７、第４シート部分３０９、及びベースシート第２部分３０１ｂから構成されている。ベースシート第１部分３０１ａ及びベースシート第２部分３０１ｂは、フロア用清掃具３５１に把持させるための把持用シート３１１に連結されている。
【０１２６】
第１シート部分３０３、第２シート部分３０５、第３シート部分３０７及び第４シート部分３０９のそれぞれは、熱融着性繊維と、保水性繊維とを含むスパンレース不織布から構成されており、薬液を含んでいる。また、ベースシート第１部分３０１ａ、ベースシート第２部分３０１ｂ、及び把持用シート３１１は、熱融着性繊維からなるスパンボンド不織布から構成されている。
【０１２７】
把持用シート３１１は、第１シート部分３０３〜第４シート部分３０９よりも、第２方向Ｄ2、具体的には第２方向他方向Ｄ22に長く構成されており、第１シート部分３０３〜第４シート部分３０９よりも第２方向他方向Ｄ22に延出している部分が、フロア用清掃具３５１に把持される把持部３１３を構成している。
【０１２８】
第３実施形態に従う清掃シート１における第１シート部分３０３は、第１実施形態に従う清掃シート１における第１シート部分２１と同一形状の、複数のΩ構造を有するとともに、Ω構造の個数が、第１実施形態に従う清掃シート１における第１シート部分２１よりも多い。同様に、第３実施形態に従う清掃シート１における第２シート部分３０５，第３シート部分３０７，及び第４シート部分３０９は、それぞれ、第１実施形態に従う清掃シート１における第２シート部分３１、第３シート部分５１及び第４シート部分６１と同一形状の、複数のΩ構造を有するとともに、Ω構造の個数が、第１実施形態に従う清掃シート１における第２シート部分３１、第３シート部分５１及び第４シート部分６１よりも多い。また、第１シート部分３０３では、固定用連結部７１と平行な方向（第１方向Ｄ1）における、展開端部５の伸長長さが、固定用連結部７１と平行な方向（第１方向Ｄ1）における、固定端部３の長さよりも長い。
【０１２９】
積層構造１７は、固定端部３において、ベースシート第１部分３０１ａ〜ベースシート第２部分３０１ｂを融着することにより形成された融着部からなる固定用連結部７１を備えている。固定用連結部７１は、第１方向Ｄ1と平行に延びており、ベースシート第１部分３０１ａ〜ベースシート第２部分３０１ｂを連結している。
【０１３０】
積層構造１７は、展開端部５において、接着剤により構成された展開用連結部（図示せず）により連結されている。第３実施形態に従う清掃シート１における展開用連結部（図示せず）は、第１実施形態に従う清掃シート１における展開用連結部７３と同様であるため、説明を省略する。
【０１３１】
非展開状態における清掃シート１の把持部３１３を把持し、ベースシート第１部分３０１ａをベースシート第２部分３０１ｂから遠ざかるように展開方向ＤS、具体的には展開方向一方向ＤS1に展開させると、ベースシート第１部分３０１ａに連結している第１シート部分３０３、第２シート部分３０５、第３シート部分３０７、第４シート部分３０９、及びベースシート第２部分３０１ｂが順に展開方向ＤS、具体的には展開方向一方向ＤS1に展開する。
【０１３２】
次いで、展開状態における清掃シート１では、上記展開に伴い、第１シート部分３０３は、第１方向一方向Ｄ11（第１方向他方向Ｄ12）において、第１シート部分３０３の展開端部５が、展開方向一方向ＤS1及び展開方向他方向ＤS2に交互に往復する第１往復構造３１５を有する。
【０１３３】
同様に、展開状態における清掃シート１では、第２シート部分３０５、第３シート部分３０７及び第４シート部分３０９が、それぞれ、第１方向一方向Ｄ11（第１方向他方向Ｄ12）において、第２シート部分３０５、第３シート部分３０７及び第４シート部分３０９の展開端部５が、展開方向一方向ＤS1及び展開方向他方向ＤS2に交互に往復する、第２往復構造３１７、第３往復構造３１９及び第４往復構造３２１を有する。
また、第２シート部分３０５、第３シート部分３０７及び第４シート部分３０９のそれぞれでは、固定用連結部７１と平行な方向（第１方向Ｄ1）における、展開端部５の伸長長さが、固定用連結部７１と平行な方向（第１方向Ｄ1）における、固定端部３の長さよりも長い。
【０１３４】
清掃シート１は、例えば、フロア用清掃具３５１のスリット部３５３に、把持部３１３を固定することにより使用される。
清掃シート１を備えるフロア用清掃具３５１を、清掃シート１が被清掃面(例えば、フロア等）と向かい合うように被清掃面上に配置すると、清掃シート１が、フロア用清掃具３５１の自重等により被清掃面に押しつけられ、第１往復構造３１５〜第４往復構造３２１が不規則に変形し、第１シート部分３０３〜第４シート部分３０９の第１領域を露出させ、当該第１領域が被清掃面に接触し、当該第１領域が被清掃面を清掃することができる。また、第１往復構造３１５〜第４往復構造３２１が不規則に変形して、清掃シート１に不規則な段差を形成することができ、当該不規則な段差が、被清掃面の清掃性に優れる。
【０１３５】
フロア用清掃具３５１を持ち上げ、清掃シート１を被清掃面から離間させると、第１往復構造３１５〜第４往復構造３２１が、それらの形状回復性により元の形状に戻り、次いで、清掃シート１を被清掃面に再度押しつけると、第１往復構造３１５〜第４往復構造３２１が不規則に変形し、第１領域と異なる第２領域を露出させ、当該第２領域が被清掃面に接触し、当該第２領域が被清掃面を清掃することができる。
第３実施形態に従う清掃シート１は、それ以外の部分は、第１実施形態に従う清掃シート１と同様であるので、説明を省略する。
【０１３６】
＜＜第４実施形態＞＞
図１６〜図１９は、本開示の別の実施形態（以下、「第４実施形態」と称する）に従う清掃シート１を説明するための図である。具体的には、図１６は、展開状態における清掃シート１の正面、平面及び左側面側の斜視図である。図１７は、非展開状態における清掃シート１の正面、平面及び左側面側の斜視図である。図１８は、第１積層構造４０１の左側面図である。図１９は、清掃シート１を、両面清掃型のフロア用清掃具４８１に取付けた状態を示す図である。
【０１３７】
第４実施形態に従う清掃シート１は、展開方向ＤSに展開し、フロア用清掃具４８１に取り付けられて用いられる清掃シートである。また、第４実施形態に従う清掃シート１は、薬液を含む、ウェット型の清掃シートである。また、第４実施形態に従う清掃シート１では、第１積層構造４０１及び第２積層構造４０３のそれぞれは、約１８０°の展開角度を有する。
【０１３８】
非展開状態における清掃シート１（第１積層構造４０１及び第２積層構造４０３）は、お互いに直交する、第１方向Ｄ1、第２方向Ｄ2、厚さ方向Ｔ、並びに展開方向ＤSを、共通して備えている。非展開状態における清掃シート１（第１積層構造４０１及び第２積層構造４０３）における第１方向Ｄ1、第２方向Ｄ2、厚さ方向Ｔ、並びに展開方向ＤSは、第１実施形態に示されるものと同様である。
【０１３９】
展開状態における清掃シート１（第１清掃シート部分４１５及び第２清掃シート部分４１７）は、非展開状態における清掃シート１（第１積層構造４０１及び第２積層構造４０３）と、後述する、ベースシート第２部分４０５ｂ及びベースシート第４部分４２１ｂが同一の方向を有するように、第１方向Ｄ1、第２方向Ｄ2及び厚さ方向Ｔ、並びに展開方向ＤSを備えている。
【０１４０】
非展開状態における清掃シート１は、厚さ方向Ｔにおいて、複数のシート部分が積層された、２つの積層構造（すなわち、第１積層構造４０１及び第２積層構造４０３）を有する。第１積層構造４０１と、第２積層構造４０３とは、厚さ方向Ｔに積層されている。
なお、第１積層構造４０１と、第２積層構造４０３とは、展開状態における清掃シート１において、それぞれ、第１清掃シート部分４１５及び第２清掃シート部分４１７を構成する。
【０１４１】
第１積層構造４０１では、複数のシート部分は、厚さ方向一方向Ｔ1において、順番に、ベースシート第１部分４０５ａ、第１シート部分４０７、第２シート部分４０９、及びベースシート第２部分４０５ｂから構成されている。ベースシート第１部分４０５ａ及びベースシート第２部分４０５ｂは、フロア用清掃具４８１に把持させるための把持用シート４１１に連結されている。
【０１４２】
第２積層構造４０３では、複数のシート部分は、厚さ方向一方向Ｔ1において、順番に、ベースシート第３部分４２１ａ、第３シート部分４２３、第４シート部分４２５、及びベースシート第４部分４２１ｂから構成されている。ベースシート第３部分４２１ａ及びベースシート第４部分４２１ｂは、フロア用清掃具４８１に把持させるための把持用シート４１１に連結されている。
【０１４３】
非展開状態において、第１積層構造４０１は、第１固定端部４２７及び第１展開端部４２９を有し、第１固定端部４２７及び第１展開端部４２９のそれぞれは、第１方向Ｄ1と平行に延びており、第１固定端部４２７及び第１展開端部４２９は、第１中央部４３１を間に挟んで、第２方向Ｄ2に離間して配置されている。
【０１４４】
また、非展開状態において、第２積層構造４０３は、第２固定端部４３５及び第２展開端部４３７を有し、第２固定端部４３５及び第２展開端部４３７のそれぞれは、第１方向Ｄ1と平行な方向に延びており、第２固定端部４３５及び第２展開端部４３７は、第２中央部４３９を間に挟んで、第２方向Ｄ2に離間して配置されている。
【０１４５】
第１積層構造４０１では、第１シート部分４０７及び第２シート部分４０９のそれぞれは、熱融着性繊維と、保水性繊維とを含むスパンレース不織布から構成されており、薬液を含んでいる。また、ベースシート第１部分４０５ａ、ベースシート第２部分４０５ｂ、及び把持用シート４１１は、熱融着性繊維からなるスパンボンド不織布から構成されている。
【０１４６】
第２積層構造４０３では、第３シート部分４２３及び第４シート部分４２５のそれぞれは、熱融着性繊維と、保水性繊維とを含むスパンレース不織布から構成されており、薬液を含んでいる。また、ベースシート第３部分４２１ａ及びベースシート第４部分４２１ｂは、熱融着性繊維からなるスパンボンド不織布から構成されている。
【０１４７】
第１積層構造４０１では、第１シート部分４０７は、第１実施形態に従う清掃シート１における第１シート部分２１と同一形状であるが、個数の異なる、厚さ方向一方向Ｔ1に突出する、複数のΩ1構造と、厚さ方向他方向Ｔ2に突出する、複数のΩ2構造を有する。具体的には、第１シート部分４０７は、厚さ方向一方向Ｔ1に突出する、７個の第１Ω1構造４４５と、厚さ方向他方向Ｔ2に突出する、８個の第１Ω2構造４４７とを有しており、７個の第１Ω1構造４４５は、第１方向Ｄ1に連続しており、８個の第１Ω2構造４４７は、第１方向Ｄ1に連続している。
また、第１シート部分４０７では、後述の第１固定用連結部４４１と平行な方向（第１方向Ｄ1）における、展開端部（図示せず）の伸長長さが、第１固定用連結部４４１と平行な方向（第１方向Ｄ1）における、固定端部（図示せず）の長さよりも長い。
【０１４８】
同様に、第１積層構造４０１では、第２シート部分４０９は、第１実施形態に従う清掃シート１における第４シート部分６１と同一形状であるが、個数の異なる、厚さ方向一方向Ｔ1に突出する、複数のΩ1構造と、厚さ方向他方向Ｔ2に突出する、複数のΩ2構造を有する。具体的には、第２シート部分４０９は、厚さ方向一方向Ｔ1に突出する、８個の第２Ω1構造４４９と、厚さ方向他方向Ｔ2に突出する、７個の第２Ω2構造４５１とを有しており、８個の第２Ω1構造４４９は、第１方向Ｄ1に連続しており、７個の第２Ω2構造４５１は、第１方向Ｄ1に連続している。
また、第２シート部分４０９では、第１固定用連結部４４１と平行な方向（第１方向Ｄ1）における、展開端部（図示せず）の伸長長さが、第１固定用連結部４４１と平行な方向（第１方向Ｄ1）における、固定端部（図示せず）の長さよりも長い。
【０１４９】
第１積層構造４０１は、第１固定端部４２７において、ベースシート第１部分４０５ａ〜ベースシート第２部分４０５ｂを融着することにより形成された融着部からなる第１固定用連結部４４１を備えている。第１固定用連結部４４１は、第１方向Ｄ1と平行に延びており、ベースシート第１部分４０５ａ〜ベースシート第２部分４０５ｂを連結している。
【０１５０】
第１積層構造４０１は、第１展開端部４２９において、接着剤により構成された展開用連結部４５３により連結されている。具体的には、展開用連結部４５３は、第１展開用連結部４５５と、第２展開用連結部４５７と、第３展開用連結部４５９とから構成される。第１展開用連結部４５５は、第１シート部分４０７の８個の第１Ω2構造４４７のそれぞれの頂面（符号を付していない）の中央、そして第２シート部分４０９の８個の第２Ω1構造４４９のそれぞれの頂面（符号を付していない）の中央に配置されるとともに、第１シート部分４０７と、第２シート部分４０９とを部分的に連結している。
【０１５１】
また、第２展開用連結部４５７は、第２シート部分４０９の７個の第２Ω2構造４５１のそれぞれの頂面（符号を付していない）の中央に配置されるとともに、第２シート部分４０９と、ベースシート第２部分４０５ｂとを部分的に連結している。さらに、第３展開用連結部４５９は、第１シート部分４０７の７個の第１Ω1構造４４５のそれぞれの頂面（符号を付していない）の中央に配置されるとともに、第１シート部分４０７と、ベースシート第１部分４０５ａとを部分的に連結している。
【０１５２】
第２積層構造４０３は、第２固定用連結部４４３及び展開用連結部（符号を付していない）を備えている。第２積層構造４０３における第２固定用連結部４４３及び展開用連結部（符号を付していない）は、それぞれ、第１積層構造４０１における第１固定用連結部４４１及び展開用連結部４５３と同様であるため、説明を省略する。
【０１５３】
非展開状態における清掃シート１の把持部４１３を把持し、展開方向ＤSに展開させると、第１積層構造４０１及び第２積層構造４０３が展開方向ＤSに展開する。
【０１５４】
展開状態における清掃シート１では、第１シート部分４０７の第１展開端部４２９と、第２シート部分４０９の第１展開端部４２９とが、それぞれ、第１方向一方向Ｄ11（第１方向他方向Ｄ12）において、展開方向一方向ＤS1及び展開方向他方向ＤS2に交互に往復する、第１往復構造４６１と、第２往復構造４６３とを有する。また、第３シート部分４２３の第２展開端部４３７と、第４シート部分４２５の第２展開端部４３７とが、それぞれ、第１方向一方向Ｄ11（第１方向他方向Ｄ12）において、展開方向一方向ＤS1及び展開方向他方向ＤS2に交互に往復する、第３往復構造４６５と、第４往復構造４６７とを有する。
【０１５５】
清掃シート１は、例えば、両面清掃型のフロア用清掃具４８１に、第１清掃シート部分４１５及び第２清掃シート部分４１７のそれぞれが、フロア用清掃具４８１の清掃面に対応するように、清掃シート１の把持部４１３をフロア用清掃具の取付部（図示せず）に取り付けることにより使用される。
なお、両面清掃型のフロア用清掃具４８１としては、特開１９９７−１６４１１０号公報、実用新案登録第３１５２６３２号等に記載されるものが挙げられる。
第４実施形態に従う清掃シート１は、それ以外の部分は、第１実施形態及び第３実施形態に従う清掃シート１と同様であるので、説明を省略する。
【０１５６】
＜＜第５実施形態＞＞
図２０〜図２２は、本開示の別の実施形態（以下、「第５実施形態」と称する）に従う清掃シート１を説明するための図である。具体的には、図２０は、ハンディ用清掃具５５１に取り付けられた、展開状態における清掃シート１の正面、平面及び左側面側の斜視図である。図２１は、非展開状態における清掃シート１の正面、平面及び左側面側の斜視図である。図２２は、清掃シート１用のハンディ用清掃具５５１の斜視図である。
【０１５７】
第５実施形態に従う清掃シート１は、展開方向ＤSに展開し、ハンディ用清掃具２５１（第１実施形態を参照）に取り付けられて用いられる清掃シートである。また、第５実施形態に従う清掃シート１は、薬液を含む、ウェット型の清掃シートである。第５実施形態に従う清掃シート１は、非展開状態と、展開状態とを形成することができ、具体的には、展開状態における、単一の清掃シート部分１９と、非展開状態における、単一の積層構造１７とを形成することができる。また、第５実施形態に従う清掃シート１では、単一の積層構造１７は、約３６０°の展開角度を有する。
【０１５８】
非展開状態における清掃シート１（積層構造１７）及び展開状態における清掃シート１（清掃シート部分１９）において、お互いに直交する、第１方向Ｄ1、第２方向Ｄ2、厚さ方向Ｔ、並びに展開方向ＤSを備えている。非展開状態における清掃シート１（積層構造１７）及び展開状態における清掃シート１（清掃シート部分１９）における第１方向Ｄ1、第２方向Ｄ2、厚さ方向Ｔ、並びに展開方向ＤSは、第１実施形態に示されるものと同様である。
【０１５９】
第５実施形態に従う清掃シート１は、非展開状態において、ベースシート第１部分１３ａ、第１シート部分５０１、第２シート部分５０３、第３シート部分５０５、第４シート部分５０７、第５シート部分５０９、第６シート部分５１１、第７シート部分５１３、第８シート部分５１５、第９シート部分５１７、第１０シート部分５１９、及びベースシート第２部分１３ｂが、その順番で積層された積層構造１７を有している。
【０１６０】
第１シート部分５０１〜第１０シート部分５１９のそれぞれは、第１実施形態における清掃シート１の第２シート部分３１と同様に、厚さ方向一方向Ｔ1に突出する、複数のΩ1構造（符号を付していない）と、厚さ方向他方向Ｔ2に突出する、複数のΩ2構造（符号を付していない）とを有しており、複数のΩ1構造のそれぞれと、複数のΩ2構造のそれぞれとは、向きは逆であるが同一の形状を有し、第１方向Ｄ1に交互に配置されている。
【０１６１】
第１シート部分５０１〜第１０シート部分５１９は、第１実施形態における清掃シート１と同様に、隣接するシート部分のΩ1構造の頂面の略中央（第１方向Ｄ1の中央）と、Ω2構造の頂面の略中央（第１方向Ｄ1の中央）とが、複数の展開用連結部分（符号を付していない）により接合されている。また、第１シート部分５０１のΩ1構造の頂面の略中央（第１方向Ｄ1の中央）と、ベースシート第１部分１３ａとは、複数の展開用連結部分（符号を付していない）により接合されている。さらに、第１０シート部分５１９のΩ2構造の頂面の略中央（第１方向Ｄ1の中央）と、ベースシート第２部分１３ｂとは、複数の展開用連結部分（符号を付していない）により接合されている。
【０１６２】
また、第１シート部分５０１〜第１０シート部分５１９のそれぞれでは、第１実施形態に従う清掃シート１と同様に、固定用連結部（図示せず）と平行な方向（第１方向Ｄ1）における、展開端部（図示せず）の伸長長さが、固定用連結部（図示せず）と平行な方向（第１方向Ｄ1）における、固定端部（図示せず）の長さよりも長くなるように構成されている。
【０１６３】
図２１に示されるように、非展開状態における清掃シート１は、ベースシート第１部分１３ａ及びベースシート第２部分１３ｂを、複数のシート部分（すなわち、第１シート部分５０１〜第１０シート部分５１９）よりも、第１方向他方向Ｄ12側（把持部５２１側）に長く構成させることにより形成された、一対の展開用把持部８５を備えている。一対の展開用把持部８５は、厚さ方向Ｔに所定距離ｄだけ離間しているので、使用者が、一対の展開用把持部８５を把持して、清掃シート１を展開させやすい。
【０１６４】
なお、ベースシート第１部分１３ａと、ベースシート第２部分１３ｂとは、それぞれ、第１シート部分５０１〜第１０シート部分５１９と反対側の面に配置された、把持部５２１ａ（把持部５２１）を形成するための把持部形成用シート第１部分１１ａと、第１シート部分５０１〜第１０シート部分５１９と反対側の面に配置された、把持部５２１ｂ（把持部５２１）を形成するための把持部形成用シート第２部分１１ｂを備えている。ベースシート第１部分１３ａ及び把持部形成用シート第１部分１１ａと、ベースシート第２部分１３ｂ及び把持部形成用シート第２部分１１ｂとには、それぞれ、ハンディ用清掃具５５１を把持させるための把持部５２１ａ及び把持部５２１ｂを形成するように把持部用融着部１５が形成されている。
【０１６５】
ハンディ用清掃具５５１は、アーム部５５３と、アーム部５５３に連結された、一対の清掃シート取付部５５５ａ及び清掃シート取付部５５５ｂを備えている。清掃シート取付部５５５ａ及び清掃シート取付部５５５ｂのそれぞれは、プレート形状を有しており、清掃シート取付部５５５ａのプレート形状と、清掃シート取付部５５５ｂのプレート形状とは、所定距離ｅだけ離間しつつ且つ平行な方向に配置されている。
【０１６６】
清掃シート１を、非展開状態から展開状態にし、使用するためには、一対の展開用把持部８５を把持し、清掃シート１を展開方向ＤSに、展開角度が約３６０°となるように展開し、ハンディ用清掃具５５１の清掃シート取付部５５５ａ及び清掃シート取付部５５５ｂを、それぞれ、清掃シート１の把持部５２１ａ及び把持部５２１ｂに挿入することにより、清掃シート１をハンディ用清掃具５５１に固定する。
【０１６７】
第５実施形態に従う清掃シート１は、展開方向ＤSにおける方向性なく、清掃することができる。
第５実施形態に従う清掃シート１は、その他の部分については、第１実施形態に従う清掃シート１と同様であるため、説明を省略する。
【０１６８】
＜＜第６実施形態＞＞
図２３〜図２６は、本開示の別の実施形態（以下、「第６実施形態」と称する）に従う清掃シート１を説明するための図である。具体的には、図２３は、展開状態における清掃シート１の正面、平面及び左側面側の斜視図である。図２４は、展開状態における清掃シート１の背面、底面及び左側面側の斜視図である。図２５は、非展開状態における清掃シート１の正面、平面及び左側面側の斜視図である。図２６は、清掃シート１の製造方法を説明するための図である。
【０１６９】
第６実施形態に従う清掃シート１は、ハンディ用清掃具（第１実施形態を参照）に取り付けられて用いられる清掃シートである。また、第６実施形態に従う清掃シート１は、薬液を含む、ウェット型の清掃シートである。第６実施形態に従う清掃シート１は、非展開状態と、展開状態とを形成することができ、具体的には、展開状態における、単一の清掃シート部分１９と、非展開状態における、単一の積層構造１７とを形成することができる。また、第６実施形態に従う清掃シート１では、積層構造１７が、約１８０°の展開角度を有する。
【０１７０】
非展開状態における清掃シート１（積層構造１７）は、お互いに直交する、第１方向Ｄ1、第２方向Ｄ2、厚さ方向Ｔ、並びに展開方向ＤSを備えている。非展開状態における清掃シート１（積層構造１７）における、第１方向Ｄ1、第２方向Ｄ2、厚さ方向Ｔ、並びに展開方向ＤSは、第１実施形態に示されるものと同様である。展開状態における清掃シート１（清掃シート部分１９）は、非展開状態における清掃シート１（積層構造１７）と、後述する、ベースシート第２部分６０１ｂが同一の方向を有するように、第１方向Ｄ1、第２方向Ｄ2及び厚さ方向Ｔ、並びに展開方向ＤSを備えている。
【０１７１】
非展開状態において、積層構造１７は、固定端部３及び展開端部５を有し、固定端部３及び展開端部５のそれぞれは、第１方向Ｄ1と平行に延びており、固定端部３及び展開端部５は、中央部７を間に挟んで、第２方向Ｄ2に離間して配置されている。
【０１７２】
非展開状態における清掃シート１（積層構造１７，図２５を参照）は、ベースシート第１部分６０１ａを、ベースシート第２部分６０１ｂから遠ざかるように展開方向ＤSに展開することにより、展開状態における清掃シート１（清掃シート部分１９，図２３を参照）を形成し、展開状態における清掃シート１が、被清掃面の清掃に用いられる。換言すると、展開状態における清掃シート１（清掃シート部分１９）は、展開方向ＤSに畳むことにより、非展開状態における清掃シート１（積層構造１７）を形成することができる。
【０１７３】
清掃シート１は、ベースシート６０１と、複数のシート、すなわち、第１シート部分６０３、第２シート部分６０５、第３シート部分６０７、第４シート部分６０９、第５シート部分６１１、第６シート部分６１３、第７シート部分６１５、第８シート部分６１７及び第９シート部分６１９を含む９枚のシートとを備えている。
なお、ベースシート６０１は、展開状態における清掃シート１（清掃シート部分１９）において、展開方向ＤSの中央において第１方向Ｄ1に延びる固定用連結部６４１により、ベースシート第１部分６０１ａと、ベースシート第２部分６０１ｂとに区画されている。
【０１７４】
図２５に示されるように、非展開状態における清掃シート１（積層構造１７）では、複数のシート、すなわち、第１シート部分６０３〜第９シート部分６１９を含む９枚のシートは、厚さ方向Ｔの両端に配置された、ベースシート第１部分６０１ａと、ベースシート第２部分６０１ｂとの間に配置されており、第１方向他方向Ｄ12に、その順番で、所定のピッチＰで配置されている。なお、第１シート部分６０３〜第９シート部分６１９のそれぞれは、第１方向Ｄ1に所定のピッチＰと略同一の長さを有するため、第１シート部分６０３〜第９シート部分６１９の間隔は、略０である。
【０１７５】
ベースシート６０１は、第１シート部分６０３〜第９シート部分６１９と反対側の面に配置された、把持部９１を形成するための把持部形成用シート２０７を備えている。具体的には、把持部形成用シート２０７は、展開方向ＤSの中央において第１方向Ｄ1と平行に延びる固定用連結部６４１により、把持部形成用シート第１部分１１ａと、把持部形成用シート第２部分１１ｂとに区画されており、ベースシート第１部分６０１ａと、ベースシート第２部分６０１ｂとは、それぞれ、第１シート部分６０３〜第９シート部分６１９と反対側の面に配置された、把持部９１を形成するための把持部形成用シート第１部分１１ａと、第１シート部分６０３〜第９シート部分６１９と反対側の面に配置された、把持部９１を形成するための把持部形成用シート第２部分１１ｂを備えている。
【０１７６】
なお、ベースシート第１部分６０１ａ及び把持部形成用シート第１部分１１ａと、ベースシート第２部分６０１ｂ及び把持部形成用シート第２部分１１ｂとには、ハンディ用清掃具（第１実施形態を参照）の清掃シート取付部を把持させるための把持部９１を形成するように把持部用融着部１５が形成されている。把持部用融着部１５は、第１実施形態に示される把持部用融着部１５と同様であるため、説明を省略する。
【０１７７】
把持部形成用シート２０７、及び第１シート部分６０３〜第９シート部分６１９のそれぞれは、熱融着性繊維と、保水性繊維とを含むスパンレース不織布から構成されており、薬液を含んでいる。また、ベースシート６０１は、熱融着性繊維からなるスパンボンド不織布から構成されている。
【０１７８】
非展開状態における清掃シート１（積層構造１７）は、固定端部３において、把持部形成用シート第１部分１１ａ、ベースシート第１部分６０１ａ、第１シート部分６０３〜第９シート部分６１９、ベースシート第２部分６０１ｂ及び把持部形成用シート第２部分１１ｂとを融着させることにより形成された融着部からなる固定用連結部６４１を備えている。
【０１７９】
固定用連結部６４１は、第１方向他方向Ｄ12において、第１固定用連結部分６４３、第２固定用連結部分６４５、第３固定用連結部分６４７、第４固定用連結部分６４９、第５固定用連結部分６５１、第６固定用連結部分６５３、第７固定用連結部分６５５、第８固定用連結部分６５７及び第９固定用連結部分６５９に区画される。
【０１８０】
第１固定用連結部分６４３は、把持部形成用シート第１部分１１ａ、ベースシート第１部分６０１ａ、第１シート部分６０３、ベースシート第２部分６０１ｂ及び把持部形成用シート第２部分１１ｂを融着させることにより形成されている。第２固定用連結部分６４５は、把持部形成用シート第１部分１１ａ、ベースシート第１部分６０１ａ、第２シート部分６０５、ベースシート第２部分６０１ｂ及び把持部形成用シート第２部分１１ｂを融着させることにより形成されている。同様に、第３固定用連結部分６４７〜第８固定用連結部分６５７は、それぞれ、把持部形成用シート第１部分１１ａ、ベースシート第１部分６０１ａ、第３シート部分６０７〜第８シート部分６１７、ベースシート第２部分６０１ｂ及び把持部形成用シート第２部分１１ｂを融着させることにより形成されている。第９固定用連結部分６５９は、ベースシート第１部分６０１ａ、第９シート部分６１９及びベースシート第２部分６０１ｂを融着させることにより形成されている。
【０１８１】
非展開状態における清掃シート１（積層構造１７）では理解が難しいため、図２３に示される、展開状態における清掃シート１（清掃シート部分１９）を参照して説明すると、第１シート部分６０３は、１１の折返し部（符号を付していない）により、第１方向一方向Ｄ11と、第１方向他方向Ｄ12とに交互に折返されてる第１蛇腹構造６２１を有している。具体的には、第１シート部分６０３は、展開方向他方向ＤS2において、第１方向他方向Ｄ12、次いで、第１方向一方向Ｄ11に交互に計１１の折返し部で折返されている第１蛇腹構造６２１を有している。
なお、１１の折返し部（符号を付していない）は、非展開状態における清掃シート１（積層構造１７）では、第２方向Ｄ2に延びており、そして展開状態における清掃シート（清掃シート部分１９）では、第１方向Ｄ1と直交する方向に概ね延びている。
【０１８２】
第１シート部分６０３は、１１の折返し部（符号を付していない）により、第１シート部分第ｎ領域（ｎ＝１〜１２）に区画されるとともに、第１蛇腹構造６２１を構成する両端の第１シート部分第１領域６０３ａ及び第１シート部分第１２領域６０３ｂを有する。第１シート部分第ｎ領域（ｎ＝１〜１２）は、厚さ方向Ｔに、その順番で積層されている。
なお、第１シート部分第１領域６０３ａ及び第１シート部分第１２領域６０３ｂは、それぞれ、後述する、一方の第１端部領域６６５及び他方の第１端部領域６６７に該当する。
【０１８３】
第１シート部分第１領域６０３ａ及び第１シート部分第１２領域６０３ｂのそれぞれは、ベースシート６０１に連結されている。具体的には、第１シート部分第１領域６０３ａ及び第１シート部分第１２領域６０３ｂは、それぞれ、ベースシート第１部分６０１ａ及びベースシート第２部分６０１ｂに連結されている。
なお、第１シート部分第１領域６０３ａ及び第１シート部分第１２領域６０３ｂと、固定用連結部６４１の第１固定用連結部分６４３とは、後述する、第１固定端部６６１を構成している。
【０１８４】
第２シート部分６０５は、１１の折返し部（符号を付していない）により、第１方向一方向Ｄ11と、第１方向他方向Ｄ12とに交互に折返されてる第２蛇腹構造６２３を有している。第２シート部分６０５は、第１シート部分６０３と同様に、１１の折返し部（符号を付していない）により、第２シート部分第ｎ領域（ｎ＝１〜１２）に区画されるとともに、第２蛇腹構造６２３を構成する両端の第２シート部分第１領域６０５ａ及び第２シート部分第１２領域６０５ｂを有する。第２シート部分第ｎ領域（ｎ＝１〜１２）は、厚さ方向Ｔに、その順番で積層されている。
なお、第２シート部分第１領域６０５ａ及び第２シート部分第１２領域６０５ｂは、それぞれ、後述する、一方の第２端部領域６７３及び他方の第２端部領域６７５に該当する。
【０１８５】
第２シート部分第１領域６０５ａ及び第２シート部分第１２領域６０５ｂのそれぞれは、ベースシート６０１に連結されている。具体的には、第２シート部分第１領域６０５ａ及び第２シート部分第１２領域６０５ｂは、それぞれ、ベースシート第１部分６０１ａ及びベースシート第２部分６０１ｂに連結されている。
なお、第２シート部分第１領域６０５ａ及び第２シート部分第１２領域６０５ｂと、固定用連結部６４１の第２固定用連結部分６４５とは、後述する、第２固定端部６６９を構成している。
【０１８６】
第３シート部分６０７〜第９シート部分６１９は、第１シート部分６０３と同様に、第３蛇腹構造６２５〜第９蛇腹構造６３７を有している。第３シート部分６０７〜第９シート部分６１９の詳細な説明は、省略する。
【０１８７】
展開状態における清掃シート１において、第１シート部分６０３〜第９シート部分６１９のそれぞれは、全体として展開方向ＤSと並行な方向に延びている（展開方向ＤSに展開している）とともに、第１シート部分６０３〜第９シート部分６１９が、その順番で、第１方向Ｄ1に所定のピッチＰで配置されている。なお、第１シート部分６０３〜第９シート部分６１９のそれぞれは、第１方向Ｄ1に所定のピッチＰと略同一の長さを有するため、第１シート部分６０３〜第９シート部分６１９の間隔は、略０である。
【０１８８】
展開状態における清掃シート１において、第１シート部分６０３は、全体として展開方向ＤSと並行な方向に延びている第１固定端部６６１と、第２方向Ｄ2と平行な方向に延びている、第１展開端部６６３とを備えている。第１シート部分６０３はまた、展開方向一方向ＤS1側に配置された、一方の第１端部領域６６５と、展開方向他方向ＤS2側に配置された、他方の第１端部領域６６７とを有している。
【０１８９】
上述の通り、第１固定端部６６１は、第１シート部分第１領域６０３ａ及び第１シート部分第１２領域６０３ｂと、固定用連結部６４１の第１固定用連結部分６４３とから構成される。また、一方の第１端部領域６６５と、他方の第１端部領域６６７とは、それぞれ、第１シート部分第１領域６０３ａと、第１シート部分第１２領域６０３ｂとから構成される。
【０１９０】
展開状態における清掃シート１において、第２シート部分６０５は、第１シート部分６０３と同様に、第２固定端部６６９と、第２展開端部６７１とを備えているとともに、展開方向一方向ＤS1側に配置された、一方の第２端部領域６７３と、展開方向他方向ＤS2側に配置された、他方の第２端部領域６７５とを有している。
【０１９１】
上述の通り、第２固定端部６６９は、第２シート部分第１領域６０５ａ及び第２シート部分第１２領域６０５ｂと、固定用連結部６４１の第２固定用連結部分６４５とから構成される。また、一方の第２端部領域６７３と、他方の第２端部領域６７５とは、それぞれ、第２シート部分第１領域６０５ａと、第２シート部分第１２領域６０５ｂとから構成される。
第３シート部分６０７〜第９シート部分６１９は、第１シート部分６０３及び第２シート部分６０５と同様であるため、説明を省略する。
【０１９２】
図２５に示されるように、非展開状態における清掃シート１は、ベースシート６０１（ベースシート第１部分６０１ａ及びベースシート第２部分６０１ｂ）を、複数のシート（特に、第９シート部分６１９）よりも、第１方向他方向Ｄ12側に長く構成させることにより形成された、一対の展開用把持部８５を備えている。一対の展開用把持部８５は、第１実施形態に示される一対の展開用把持部８５と同様であるため、説明を省略する。
【０１９３】
第６実施形態に従う清掃シート１は、特に限定されず、例えば、図２６に示されるように製造することができる。
把持部形成用シート２０７が融着されたベースシート６０１に、第１シート部分６０３を構成する第１シート部分用積層体７０１、第２シート部分６０５を構成する第２シート部分用積層体７０３、第３シート部分６０７を構成する第３シート部分用積層体７０５、第４シート部分６０９を構成する第４シート部分用積層体７０７、第５シート部分６１１を構成する第５シート部分用積層体７０９、第６シート部分６１３を構成する第６シート部分用積層体７１１、第７シート部分６１５を構成する第７シート部分用積層体７１３、第８シート部分６１７を構成する第８シート部分用積層体７１５、第９シート部分６１９を構成する第９シート部分用積層体７１７を、その順番で、第１方向Ｄ1に所定のピッチＰで配置する。
【０１９４】
把持部形成用シート２０７、ベースシート６０１、及び第１シート部分用積層体７０１〜第９シート部分用積層体７１７を、第２方向Ｄ2の中心を通り、第１方向Ｄ1に延びる第１方向中心線ＣＬ1に沿って融着させ、固定用連結部６４１を形成することにより、融着シート７１９を形成する。次いで、融着シート７１９の、第１シート部分用積層体７０１〜第９シート部分用積層体７１７のそれぞれを構成するシートの端部（符号を付していない）にホットメルト接着剤７２１を塗工し、次いで、融着シート７１９を、固定用連結部６４１のところで折畳んで、第１シート部分用積層体７０１〜第９シート部分用積層体７１７のそれぞれのホットメルト接着剤７２１が塗工された部分同士を接着させることにより、清掃シート１が形成される。
【０１９５】
第６実施形態に従う清掃シート１は、被清掃面の清掃性に優れる。また、第６実施形態に従う清掃シート１は、展開状態と、非展開状態とを採ることができ、コンパクト性に優れる。
【０１９６】
＜＜第７実施形態＞＞
図２７及び図２８は、本開示の別の実施形態（以下、「第７実施形態」と称する）に従う清掃シート１を説明するための図である。具体的には、図２７は、展開状態における清掃シート１の正面、平面及び左側面側の斜視図である。図２８は、非展開状態における清掃シート１の正面、平面及び左側面側の斜視図である。
【０１９７】
第７実施形態に従う清掃シート１は、ハンディ用清掃具（第１実施形態を参照）に取り付けられて用いられる清掃シートである。また、第７実施形態に従う清掃シート１は、薬液を含む、ウェット型の清掃シートである。清掃シート１は、非展開状態と、展開状態とを形成することができ、具体的には、展開状態における、単一の清掃シート部分１９と、非展開状態における、単一の積層構造１７とを形成することができる。また、第７実施形態に従う清掃シート１では、積層構造１７が、約１８０°の展開角度を有する。
【０１９８】
非展開状態における清掃シート１（積層構造１７）は、お互いに直交する、第１方向Ｄ1、第２方向Ｄ2及び厚さ方向Ｔ、並びに展開方向ＤSを備えている。非展開状態における清掃シート１（積層構造１７）における第１方向Ｄ1、第２方向Ｄ2及び厚さ方向Ｔ、並びに展開方向ＤSは、第１実施形態のものと同様である。展開状態における清掃シート１（清掃シート部分１９）は、非展開状態における清掃シート１（積層構造１７）と、後述する、ベースシート第２部分８０１ｂが同一の方向を有するように、第１方向Ｄ1、第２方向Ｄ2及び厚さ方向Ｔ、並びに展開方向ＤSを備えている。
【０１９９】
非展開状態において、積層構造１７は、固定端部３及び展開端部５を有し、固定端部３及び展開端部５のそれぞれは、第１方向Ｄ1と平行な方向に延びており、固定端部３及び展開端部５は、中央部７を間に挟んで、第２方向Ｄ2に離間して配置されている。
【０２００】
非展開状態における清掃シート１（積層構造１７，図２８を参照）は、ベースシート第１部分８０１ａを、ベースシート第２部分８０１ｂから遠ざかるように展開方向ＤSに展開することにより、展開状態における清掃シート１（清掃シート部分１９，図２７を参照）を形成し、展開状態における清掃シート１が、被清掃面の清掃に用いられる。
【０２０１】
清掃シート１は、ベースシート８０１と、複数のシート、すなわち、第１シート部分８１１、第２シート部分８１３、第３シート部分８１５及び第４シート部分８１７を含む４枚のシートとを備えている。
なお、ベースシート８０１は、展開状態における清掃シート１（清掃シート部分１９）において、展開方向ＤSの中央において第１方向Ｄ1と平行に間欠的に延びている固定用連結部８０３により、ベースシート第１部分８０１ａと、ベースシート第２部分８０１ｂとに区画されている。
【０２０２】
図２８に示されるように、非展開状態における清掃シート１（積層構造１７）では、複数のシート、すなわち、第１シート部分８１１〜第４シート部分８１７を含む４枚のシートは、厚さ方向Ｔの両端に配置された、ベースシート第１部分８０１ａと、ベースシート第２部分８０１ｂとの間に配置されており、第１方向他方向Ｄ12に、その順番で、所定のピッチＰで配置されている。なお、第１シート部分８１１〜第４シート部分８１７のそれぞれは、第１方向Ｄ1に所定のピッチＰよりも若干短い長さを有するため、第１シート部分８１１〜第４シート部分８１７は、若干の間隔をあけて配置されている。
【０２０３】
ベースシート８０１は、第１シート部分８１１〜第４シート部分８１７と反対側の面に配置された、把持部９１を形成するための把持部形成用シート２０７を備えている。具体的には、把持部形成用シート２０７は、展開方向ＤSの中央において第１方向Ｄ1に間欠的に延びている固定用連結部８０３により、把持部形成用シート第１部分１１ａと、把持部形成用シート第２部分１１ｂとに区画されており、ベースシート第１部分８０１ａと、ベースシート第２部分８０１ｂとは、それぞれ、第１シート部分８１１〜第４シート部分８１７と反対側の面に配置された、把持部９１を形成するための把持部形成用シート第１部分１１ａと、第１シート部分８１１〜第４シート部分８１７と反対側の面に配置された、把持部９１を形成するための把持部形成用シート第２部分１１ｂを備えている。
なお、第７実施形態に従う清掃シート１は、第１実施形態に従う清掃シート１と同様の把持部用融着部１５を備えている。
【０２０４】
把持部形成用シート２０７、及び第１シート部分８１１〜第４シート部分８１７のそれぞれは、熱融着性繊維と、保水性繊維とを含むスパンレース不織布から構成されており、薬液を含んでいる。また、ベースシート８０１は、熱融着性繊維からなるスパンボンド不織布から構成されている。
【０２０５】
非展開状態における清掃シート１（積層構造１７）は、固定端部３において、把持部形成用シート第１部分１１ａ、ベースシート第１部分８０１ａ、第１シート部分８１１〜第４シート部分８１７、ベースシート第２部分８０１ｂ及び把持部形成用シート第２部分１１ｂとを融着させることにより形成された融着部からなる固定用連結部８０３を備えている。固定用連結部８０３は、第１方向Ｄ1に間欠的に延びている。
【０２０６】
固定用連結部８０３は、第１方向他方向Ｄ12において、第１固定用連結部分８４９、第２固定用連結部分８５１、第３固定用連結部分８５３及び第４固定用連結部分８５５に区画される。
【０２０７】
第１固定用連結部分８４９は、把持部形成用シート第１部分１１ａ、ベースシート第１部分８０１ａ、第１シート部分８１１、ベースシート第２部分８０１ｂ及び把持部形成用シート第２部分１１ｂを融着させることにより形成されている。第２固定用連結部分８５１は、把持部形成用シート第１部分１１ａ、ベースシート第１部分８０１ａ、第２シート部分８１３、ベースシート第２部分８０１ｂ及び把持部形成用シート第２部分１１ｂを融着させることにより形成されている。第３固定用連結部分８５３は、把持部形成用シート第１部分１１ａ、ベースシート第１部分８０１ａ、第３シート部分８１５、ベースシート第２部分８０１ｂ及び把持部形成用シート第２部分１１ｂを融着させることにより形成されている。また、第４固定用連結部分８５５は、把持部形成用シート第１部分１１ａ、ベースシート第１部分８０１ａ、第４シート部分８１７、ベースシート第２部分８０１ｂ及び把持部形成用シート第２部分１１ｂを融着させることにより形成されている。
【０２０８】
非展開状態における清掃シート１（積層構造１７）では理解が難しいため、図２７に示される、展開状態における清掃シート１（清掃シート部分１９）を参照して説明すると、第１シート部分８１１は、１５の折返し部（符号を付していない）により、第１方向一方向Ｄ11と、第１方向他方向Ｄ12とに交互に折返されてる第１蛇腹構造８４１を有している。具体的には、第１シート部分８１１は、展開方向他方向ＤS2において、第１方向他方向Ｄ12、次いで、第１方向一方向Ｄ11に交互に計１５の折返し部で折返されている第１蛇腹構造８４１を有している。
なお、１５の折返し部（符号を付していない）は、非展開状態における清掃シート１（積層構造１７）では、第２方向Ｄ2に延びており、そして展開状態における清掃シート１（清掃シート部分１９）では、第１方向Ｄ1と直交する方向に概ね延びている。
【０２０９】
第１シート部分６０３は、１５の折返し部（符号を付していない）により、第１シート部分第ｎ領域（ｎ＝１〜１６）に区画されるとともに、第１蛇腹構造８４１を構成する両端の第１シート部分第１領域８１１ａ及び第１シート部分第１６領域８１１ｂを有する。第１シート部分第ｎ領域（ｎ＝１〜１６）は、厚さ方向Ｔに、その順番で積層されている。
なお、第１シート部分第１領域８１１ａ及び第１シート部分第１６領域８１１ｂは、それぞれ、後述する、一方の第１端部領域８３５及び他方の第１端部領域８３７に該当する。
【０２１０】
第１シート部分第１領域８１１ａ及び第１シート部分第１６領域８１１ｂのそれぞれは、ベースシート８０１に連結されている。具体的には、第１シート部分第１領域８１１ａ及び第１シート部分第１６領域８１１ｂは、それぞれ、ベースシート第１部分８０１ａ及びベースシート第２部分８０１ｂに連結されている。
なお、第１シート部分第１領域８１１ａ及び第１シート部分第１６領域８１１ｂと、固定用連結部８０３の第１固定用連結部分８４９とは、後述する、第１固定端部８３１を構成している。
【０２１１】
第２シート部分８１３〜第４シート部分８１７は、第１シート部分８１１と同様に、第２蛇腹構造８４３〜第４蛇腹構造８４７を有している。第２シート部分８１３〜第４シート部分８１７の詳細な説明は、省略する。
【０２１２】
展開状態における清掃シート１において、第１シート部分８１１〜第４シート部分８１７のそれぞれは、展開方向ＤSと並行な方向に延びている（展開方向ＤSに展開している）とともに、第１シート部分８１１〜第４シート部分８１７が、その順番で、第１方向Ｄ1に所定のピッチＰで配置されている。
【０２１３】
展開状態における清掃シート１において、第１シート部分８１１は、全体として展開方向ＤSと並行な方向に延びている第１固定端部８３１と、第２方向Ｄ2と平行な方向に延びている、第１展開端部８３３とを備えている。第１シート部分８１１はまた、展開方向一方向ＤS1側に配置された、一方の第１端部領域８３５と、展開方向他方向ＤS2側に配置された、他方の第１端部領域８３７とを有している。
【０２１４】
上述の通り、第１固定端部８３１は、第１シート部分第１領域８１１ａ及び第１シート部分第１６領域８１１ｂと、固定用連結部８０３の第１固定用連結部分８４９とから構成される。また、一方の第１端部領域８３５と、他方の第１端部領域８３７とは、それぞれ、第１シート部分第１領域８１１ａと、第１シート部分第１６領域８１１ｂとから構成される。
第２シート部分８１３〜第４シート部分８１７は、第１シート部分８１１と同様であるため、説明を省略する。
【０２１５】
図２８に示されるように、非展開状態における清掃シート１は、ベースシート８０１（ベースシート第１部分８０１ａ及びベースシート第２部分８０１ｂ）を、複数のシート（特に、第４シート部分８１７）よりも、第１方向他方向Ｄ12側に長く構成させることにより形成された、一対の展開用把持部８５を備えている。一対の展開用把持部８５は、第１実施形態に示される一対の展開用把持部８５と同様であるため、説明を省略する。
【０２１６】
第７実施形態に従う清掃シート１は、（ｉ）固定用連結部６４１を形成せずに、融着シート７１９を折畳むことにより折畳み構造体を形成し、次いで、折畳み構造体に、第１方向Ｄ1に間欠的に固定用連結部８０３を形成する点、及び（ｉｉ）ホットメルト接着剤７２１を塗工しない点を除き、第６実施形態に従う清掃シート１と同様に製造することができる。
【０２１７】
第７実施形態に従う清掃シート１は、第６実施形態に従う清掃シート１と同様に、被清掃面の清掃性に優れる。また、第７実施形態に従う清掃シート１は、展開状態と、非展開状態とを採ることができ、コンパクト性に優れる。
【０２１８】
＜＜第８実施形態＞＞
図２９及び図３０は、本開示のさらに別の実施形態（以下、「第８実施形態」と称する）に従う清掃シート１を説明するための図である。具体的には、図２９は、展開状態における清掃シート１の正面、平面及び左側面側の斜視図である。図３０は、非展開状態における清掃シート１の正面、平面及び左側面側の斜視図である。
なお、第８実施形態に従う清掃シート１は、第６実施形態に従う清掃シート１と同様の構造を有するため、第６実施形態に従う清掃シート１と異なる部分を中心に説明する。
【０２１９】
第８実施形態に従う清掃シート１では、複数のシートを構成する奇数番目のシート（すなわち、第１シート部分６０３、第３シート部分６０７、第５シート部分６１１、第７シート部分６１５及び第９シート部分６１９）は、第６実施形態に従う清掃シート１の第１シート部分６０３（及び第２シート部分６０５〜第９シート部分６１９）と同一の形状を有する。すなわち、上記奇数番目のシートは、展開方向他方向ＤS2において、第１方向他方向Ｄ12、次いで、第１方向一方向Ｄ11に交互に計１１の折返し部で折返されている。
なお、図２９では、第１シート部分６０３の折返し部である、１１の第１折返し部９０１の一部が示されているが、第３シート部分６０７、第５シート部分６１１、第７シート部分６１５及び第９シート部分６１９の折返し部は、省略されている。
【０２２０】
一方、第８実施形態に従う清掃シート１では、複数のシートを構成する偶数番目のシート（すなわち、第２シート部分６０５、第４シート部分６０９、第６シート部分６１３及び第８シート部分６１７）は、第６実施形態に従う清掃シート１の第１シート部分６０３（並びに第２シート部分６０５〜第９シート部分６１９）と、第２方向Ｄ2及び厚さ方向Ｔを通る平面に関して面対称の関係にある。換言すると、上記偶数番目のシートは、展開方向他方向ＤS2において、第１方向一方向Ｄ11、次いで、第１方向他方向Ｄ12に交互に計１１の折返し部で折返されている。
【０２２１】
なお、図２９では、第２シート部分６０５の折返し部である、１１の第２折返し部９０３の一部が示されているが、第４シート部分６０９、第６シート部分６１３及び第８シート部分６１７の折返し部は、省略されている。
従って、第８実施形態に従う清掃シート１では、上記奇数番目のシートと、上記偶数番目のシートとは、折返し部がお互いに向かい合うように配置されている。
【０２２２】
第８実施形態に従う清掃シート１では、上記奇数番目のシートと、上記偶数番目のシートとは、お互いに向かい合う折返し部（第２方向Ｄ2の中央に配置された折返し部を除く）において、ホットメルト接着剤９０５によりお互いに接合されている。
第８実施形態に従う清掃シート１では、清掃シート１を第１方向Ｄ1に動かしながら被清掃面を清掃する場合に、第１シート部分６０３〜９シート６１９が、お互いに第１方向Ｄ1に倒れることを抑制することができ、被清掃面の清掃性に優れる。
【０２２３】
＜＜第９実施形態＞＞
本開示の清掃シートは、複数のシート部分に着色を施すことにより、美観に優れる。
図３１は、本開示の別の実施形態（以下、「第９実施形態」と称する）に従う清掃シート１を説明するための図である。具体的には、図３１は、ハンディ用清掃具２５１（第１実施形態を参照）に取り付けられた、展開状態における清掃シート１の正面図である。
第９実施形態に従う清掃シート１は、概ね、第１実施形態に従う清掃シート１と同様であることから、異なる点のみ説明する。
【０２２４】
第９実施形態に従う清掃シート１では、第２シート部分３１及び第３シート部分５１のそれぞれが、青色を有するメッシュシートと、白色を有する、熱融着性繊維及び保水性繊維を含むスパンレース不織布との積層物から構成されている。メッシュシートは、第２シート部分３１及び第３シート部分５１のそれぞれの内面を構成し、そしてスパンレース不織布は、第２シート部分３１及び第３シート部分５１のそれぞれの外面を構成している。
なお、第１シート部分２１及び第４シート部分６１のそれぞれは、白色を有する、熱融着性繊維及び保水性繊維を含むスパンレース不織布から構成されている。
【０２２５】
従って、第９実施形態に従う清掃シート１では、角度の関係で、固定用連結部７１に近いほど青色が相対的に濃く見え、固定用連結部７１から遠い（展開用連結部７３に近い）ほど青色が相対的に薄く見える傾向があるため、美観に優れる。
第９実施形態に従う清掃シート１は、その他の部分については、第１実施形態に従う清掃シート１と同様であるため、説明を省略する。
【０２２６】
本開示の清掃シートは、固定端部及び展開端部を有する積層構造を有し、展開端部を展開方向に展開させて用いられるものである。また、本開示の清掃シートは、積層構造において、お互いに直交する、第１方向と、第２方向と、厚さ方向とを備えている。
【０２２７】
上記固定端部は、上記積層構造において、第１方向に沿う方向に延びていることが好ましく、そして第１方向と平行な方向に延びていることがより好ましい。また、上記展開端部は、第１方向に沿う方向に延びていることが好ましく、そして第１方向と平行な方向に延びていることがより好ましい。清掃シートの使いやすさの観点からである。
【０２２８】
本開示の清掃シートは、非展開状態において、一又は複数の上記積層構造を含むことができる。本開示の清掃シートが、複数の積層構造を含む場合には、上記清掃シートは、複数の積層構造を、任意の形態で含むことができる。本開示の清掃シートは、例えば、第１方向、第２方向、厚さ方向等に、連続して又は所定の距離離間して配置された複数の積層構造を含むことができる。
【０２２９】
この場合には、清掃シートは、例えば、複数の積層構造の一部（例えば、複数のシート部分のうち、積層構造の厚さ方向の端部に配置されたシート）を、別体のシート（例えば、把持用シート）等に、連続して又は所定距離離間させて連結させたものであってもよく、そして複数の積層構造の一部（例えば、複数のシート部分のうち、積層構造の厚さ方向の端部に配置されたシート）が連結している、例えば、複数の積層構造の一部（例えば、複数のシート部分のうち、厚さ方向の端部に配置されたシート）が一体のシートから構成されているものであってもよい。
【０２３０】
上記複数の積層構造は、展開状態における清掃シートおいて、複数の清掃シート部分を形成し、当該複数の清掃シート部分が、例えば、片面清掃型のフロア用清掃具の片面の清掃面に配置されることができ、そして両面清掃型のフロア用清掃具の両面の清掃面に配置されることができる。
【０２３１】
また、展開状態における清掃シートは、例えば、複数の清掃シート部分（複数の積層構造に由来する）が、展開方向に連続して、又は所定の距離離間して配置されるように、清掃具（例えば、ハンディ用清掃具）に把持されて用いられうる。
【０２３２】
本開示の清掃シートでは、上記積層構造が、積層構造の厚さ方向又は第１方向に順に配置されている、複数のシート部分を備えている。なお、複数のシート部分が、積層構造の厚さ方向に順に配置されていることは、複数のシート部分が、積層構造の厚さ方向に積層されていることを意味する。また、複数のシート部分が、積層構造の第１方向に順に配置されているとは、複数のシート部分が、第１方向に所定のピッチで配置されていることを意味し、所定のピッチは、各シート部分の第１方向の長さと同一であっても、それより長くとも、それより短くともよい。
なお、本明細書では、複数のシート部分が厚さ方向に順に配置されている積層構造を「厚さ方向配置積層構造」と称する場合があり、そして複数のシート部分が第１方向に順に配置されていることを「第１方向配置積層構造」と称する場合がある。
【０２３３】
上記複数のシート部分は、固定端部において、固定用連結部により連結されている。
上記固定用連結部は、第１方向に沿う方向に配置されており、そして好ましくは第１方向と平行な方向に配置されている。清掃シートの使いやすさの観点からである。
上記固定用連結部は、連続的又は間欠的に配置されることができる。上記固定用連結部には、接着剤による接着部、熱融着性繊維による融着部、連続するシート部分の折返し部等が含まれる。
【０２３４】
上記積層構造が、厚さ方向配置積層構造である場合には、上記固定端部は、第１方向に沿う方向に、複数のシート部分の全てを固定するものであることができる。
上記積層構造が、第１方向配置積層構造である場合には、上記固定端部は、第１方向に沿う方向に、複数のシート部分を順番に固定するものであることができる。
【０２３５】
なお、上記固定用連結部が第１方向と平行な方向に配置されている場合には、展開方向が、第１方向の周方向を構成し、そして展開方向は、積層構造の断面視（第２方向における断面視）において、厚さ方向と一致し、そして積層構造の平面視（厚さ方向における平面視）において、第２方向と一致する。
【０２３６】
本開示の清掃シートは、清掃シートを展開方向に展開させる、すなわち、非展開状態（積層構造）から展開状態（清掃シート部分）を形成することにより、複数のシート部分が順に配置されるように構成されている。
以下、（ｉ）「厚さ方向配置積層構造」における複数のシート部分が、清掃シート展開状態（清掃シート部分）において「展開方向」に順に配置されるように構成されることを『展開方向順配置清掃シート部分』と称し、そして（ｉｉ）「第１方向配置積層構造」における複数のシート部分が、清掃シート展開状態（清掃シート部分）において「第１方向」に順に配置されるように構成されることを『第１方向順配置清掃シート部分』と称する。
【０２３７】
本開示の清掃シートでは、複数のシート部分の少なくとも一部が、展開端部において、複数のシート部分のうち、隣接するシート部分に展開用連結部により連結されていることができる。それにより、複数のシート部分が、倒れにくくなり、新たな清掃面として、被清掃面に順に接しやすくなる。
【０２３８】
本開示の清掃シートが、「厚さ方向配置積層構造」及び「展開方向順配置清掃シート部分」を有する場合に、以下、必要に応じて、文字式を用いて説明する。
・複数のシート部分が、ｎ枚のシート部分を含む。
・ｎ枚のシート部分が、例えば、第ｋシート部分、第（ｋ＋１）シート部分、第（ｋ＋２）シート部分等を含む。
・第ｋシート部分と、第（ｋ＋１）シート部分が有することができる、所望による展開用連結部及び複数の展開用連結部分を、それぞれ、第ｋ展開用連結部及び複数の第ｋ展開用連結部分と称する。
・第（ｋ＋１）シート部分と、第（ｋ＋２）シート部分とが有することができる、所望による展開用連結部及び複数の展開用連結部分を、それぞれ、第（ｋ＋１）展開用連結部及び複数の第（ｋ＋１）展開用連結部分と称する。
【０２３９】
本開示の清掃シートでは、複数のシート部分の枚数、すなわち、ｎは、特に制限されない。例えば、上記清掃シートが、「厚さ方向配置積層構造」及び「展開方向順配置清掃シート部分」を有する場合には、ｎは、積層構造の所望の展開角度、複数のシート部分のそれぞれの冗長度等によっても変わりうる。例えば、積層構造の展開角度１８０°当たり、ｎは、例えば、３〜１２とすることができる。
また、上記清掃シートが、「第１方向配置積層構造」及び「第１方向順配置清掃シート部分」を有する場合には、ｎは、各シート部分の第１方向における長さによっても変わりうるが、ｎは、例えば、１〜１２とすることができる。
【０２４０】
本開示の清掃シートが「厚さ方向配置積層構造」及び「展開方向順配置清掃シート部分」を有する場合には、清掃シートは、以下の要件（以下、「第１要件」と称する）を満たすことができる。
（１−１）ｎ枚のシート部分が、第ｋシート部分と、第（ｋ＋１）シート部分とを含む。
（１−２）第ｋシート部分及び第（ｋ＋１）シート部分が、第ｋ展開用連結部により連結されている。
【０２４１】
第１要件を満たすことにより、清掃シートの展開状態において、第ｋシート部分と、第（ｋ＋１）シート部分とが、順に配置されやすくなる。
ここで、ｋは、１〜（ｎ−１）の範囲の好ましくは少なくとも一部、より好ましくは４０％以上、さらに好ましくは６０％以上、そしてさらにいっそう好ましくは８０％以上の整数である。なお、ｋは、連続する整数である必要はない。また、ｋの上限は、１〜（ｎ−１）の範囲の１００％の整数である。ｋが上記範囲を満たすことにより、複数のシート部分のうち、上述の効果を有するシート部分の比率を高くすることができる。
【０２４２】
本開示の清掃シートが「厚さ方向配置積層構造」及び「展開方向順配置清掃シート部分」を有する場合には、清掃シートは、以下の要件（以下、「第２要件」と称する）を満たすことができる。
（２−１）ｎ枚のシート部分が、第ｋシート部分と、第（ｋ＋１）シート部分とを含む。
（２−２）第ｋシート部分及び第（ｋ＋１）シート部分が、第ｋ展開用連結部により連結されている。
（２−３）第ｋ展開用連結部が、複数の第ｋ展開用連結部分を備えている。
【０２４３】
第２要件を満たすことにより、清掃シートの展開状態において、第ｋシート部分と、第（ｋ＋１）シート部分とが、順に配置されやすくなるとともに、第ｋシート部分と、第（ｋ＋１）シート部分とが、往復構造を採りやすくなる。
ここで、ｋは、１〜（ｎ−１）の範囲の好ましくは少なくとも一部、より好ましくは４０％以上、さらに好ましくは６０％以上、そしてさらにいっそう好ましくは８０％以上の整数である。なお、ｋは、連続する整数である必要はない。また、ｋの上限は、１〜（ｎ−１）の範囲の１００％の整数である。ｋが上記範囲を満たすことにより、複数のシート部分のうち、上述の効果を有するシート部分の比率を高くすることができる。
【０２４４】
本開示の清掃シートが「厚さ方向配置積層構造」及び「展開方向順配置清掃シート部分」を有する場合には、清掃シートは、以下の要件（以下、「第３要件」と称する）を満たすことができる。
（３−１）ｎ枚のシート部分が、第ｋシート部分と、第（ｋ＋１）シート部分と、第（ｋ＋２）シート部分とを含む。
（３−２）第ｋシート部分及び第（ｋ＋１）シート部分が、第ｋ展開用連結部により連結されている。
（３−３）第（ｋ＋１）シート部分及び第（ｋ＋２）シート部分が、第（ｋ＋１）展開用連結部により連結されている。
【０２４５】
第３要件を満たすことにより、第（ｋ＋１）シート部分が、展開方向一方向及び展開方向他方向に交互に往復する往復構造を形成しやすくなる。
ここで、ｋは、１〜（ｎ−２）の範囲の好ましくは少なくとも一部、より好ましくは４０％以上、さらに好ましくは６０％以上、そしてさらにいっそう好ましくは８０％以上の整数である。なお、ｋは、連続する整数である必要はない。また、ｋの上限は、１〜（ｎ−２）の範囲の１００％の整数である。ｋが上記範囲を満たすことにより、複数のシート部分のうち、上述の効果を有するシート部分の比率を高くすることができる。
【０２４６】
本開示の清掃シートが「厚さ方向配置積層構造」及び「展開方向順配置清掃シート部分」を有する場合には、清掃シートは、以下の要件（以下、「第４要件」と称する）を満たすことができる。
（４−１）ｎ枚のシート部分が、第ｋシート部分と、第（ｋ＋１）シート部分と、第（ｋ＋２）シート部分とを含む。
（４−２）第ｋシート部分及び第（ｋ＋１）シート部分が、複数の第ｋ展開用連結部分を備えている第ｋ展開用連結部により連結されている。
（４−３）第（ｋ＋１）シート部分及び第（ｋ＋２）シート部分が、複数の第（ｋ＋１）展開用連結部分を備えている第（ｋ＋１）展開用連結部により連結されている。
（４−４）第ｋ展開用連結部を構成する複数の第ｋ展開用連結部分の少なくとも一部（好ましくは４０％以上、より好ましくは６０％以上、例えば、第１方向の両端を除く全部）と、第（ｋ＋１）展開用連結部を構成する複数の第（ｋ＋１）展開用連結部分の少なくとも一部（好ましくは４０％以上、より好ましくは６０％以上、例えば、第１方向の両端を除く全部）とが、上記厚さ方向に重複する位置に配置されていない。
【０２４７】
第４要件を満たすことにより、第（ｋ＋１）シート部分が、展開方向一方向及び展開方向他方向に交互に往復する往復構造を形成することができる。
ここで、ｋは、１〜（ｎ−２）の範囲の好ましくは少なくとも一部、より好ましくは４０％以上、さらに好ましくは６０％以上、そしてさらにいっそう好ましくは８０％以上の整数である。なお、ｋは、連続する整数である必要はない。また、ｋの上限は、１〜（ｎ−２）の範囲の１００％の整数である。ｋが上記範囲を満たすことにより、複数のシート部分のうち、上述の効果を有するシート部分の比率を高くすることができる。
【０２４８】
なお、上記「（第（ｋ＋１）シート部分の）厚さ方向に重複する位置」は、第（ｋ＋１）シート部分の、第（ｋ＋１）シート部分の構成部材を間に挟んで向かい合う両面のうち、厚さ方向に重複する位置を意味する。
従って、第（ｋ＋１）シート部分が、折返し構造を有しないフラットな場合には、上記「（第（ｋ＋１）シート部分の）厚さ方向に重複する位置」は、その字句通りに解釈する。
【０２４９】
一方、第（ｋ＋１）シート部分が、折返し構造を有する場合には、複数の第ｋ展開用連結部分と、複数の第（ｋ＋１）展開用連結部分とは、第（ｋ＋１）シート部分の、第（ｋ＋１）シート部分の構成部材を間に挟んで向かい合う両面のうち、厚さ方向に重複する位置でなければ、厚さ方向に重複しているとはせず、除外する。展開状態における清掃シートにおいて、第（ｋ＋１）シート部分に往復構造を形成することができるからである。
【０２５０】
例えば、第（ｋ＋１）シート部分が、複数のΩ構造（Ω1構造及びΩ2構造）を有する場合に、複数の第ｋ展開用連結部分の１つが、Ω1構造の第１頂部に配置され、そして複数の第（ｋ＋１）展開用連結部分の１つが第１底部（Ω2構造の第２頂部）に配置されていとともに、複数の第ｋ展開用連結部分の１つと、複数の第（ｋ＋１）展開用連結部分の１つとが厚さ方向に重複している場合であっても、複数の第ｋ展開用連結部分の１つと、複数の第（ｋ＋１）展開用連結部分の１つとは、「（第（ｋ＋１）シート部分の）厚さ方向に重複する位置」に配置されているとはせず、除外する。
【０２５１】
本開示の清掃シートが第１要件〜第４要件を満たす場合等において、第（ｋ＋１）シート部分が、第２方向に沿う方向に延びている複数の折返し部により、第１方向に沿う方向に交互に折返されていること（以下、「第５要件」と称する）ができる。第５要件を満たすことにより、（ｋ＋１）シート部分の往復構造の波高を大きくすることができる。なお、ｋの好ましい範囲に関しては、各要件に記載されているとおりである。
【０２５２】
本開示の清掃シートが第１要件〜第５要件を満たす場合において、第（ｋ＋１）シート部分が、厚さ方向一方向に突出する、複数の第１頂部であって、それらのそれぞれが第１頂面を備えているもの（Ω1構造）と、厚さ方向他方向に突出する複数の第２頂部であって、それらのそれぞれが第２頂面を備えているもの（Ω2構造）とを備えていること（以下、「第６要件」と称する）ができる。第６要件を満たすことにより、展開状態における清掃シートにおいて、第（ｋ＋１）シート部分の往復構造の波高を大きくすることができる。なお、ｋの好ましい範囲に関しては、各要件に記載されているとおりである。
【０２５３】
本開示の清掃シートが第４要件及び第６要件を満たす場合等には、複数の第ｋ展開用連結部分が、複数の第１頂面のそれぞれに配置されていること（以下、「第７要件」と称する）ができる。第７要件を満たすことにより、展開状態における清掃シートにおいて、第（ｋ＋１）シート部分の往復構造の波高を大きくすることができる。なお、ｋの好ましい範囲に関しては、各要件に記載されているとおりである。
【０２５４】
本開示の清掃シートが第６要件又は第７要件を満たす場合等には、厚さ方向における平面視において、複数の第１頂面の総面積が、第（ｋ＋１）シート部分の面積の好ましくは５０％以上且つ１００％以下、より好ましくは７０％以上且つ１００％以下、そしてさらに好ましくは９０％以上且つ１００％以下であること（以下、「第８要件」と称する）ができる。第８要件を満たすことにより、第ｋ展開用連結部を構成する複数の第ｋ展開用連結部分を、複数の第１頂面のそれぞれに配置する自由度が高くなるとともに、第（ｋ＋１）シート部分の冗長度が大きくなるため、第（ｋ＋１）シート部分の往復構造の波高、並びに清掃シート（積層構造）の展開角度を大きくすることができる。なお、ｋの好ましい範囲に関しては、各要件に記載されているとおりである。
【０２５５】
本開示の清掃シートが第４要件及び第６要件を満たす場合、第７要件を満たす場合、又は第４要件及び第８要件を満たす場合等には、複数の第（ｋ＋１）展開用連結部分が、複数の第２頂面のそれぞれに配置されていること（以下、「第９要件」と称する）ができる。第９要件を満たすことにより、展開状態における清掃シートにおいて、第（ｋ＋１）シート部分の往復構造の波高を大きくすることができる。なお、ｋの好ましい範囲に関しては、各要件に記載されているとおりである。
【０２５６】
本開示の清掃シートが第６要件、第７要件、第８要件又は第９要件を満たす場合等には、厚さ方向における平面視において、複数の第２頂面の総面積が、第（ｋ＋１）シート部分の面積の好ましくは５０％以上且つ１００％以下、より好ましくは７０％以上且つ１００％以下、そしてさらに好ましくは９０％以上且つ１００％以下であること（以下、「第１０要件」と称する）ができる。第１０要件を満たすことにより、第（ｋ＋１）展開用連結部を構成する複数の第（ｋ＋１）展開用連結部分を、複数の第２頂面のそれぞれに配置する自由度が高くなるとともに、第（ｋ＋１）シート部分の冗長度が大きくなるため、第（ｋ＋１）シート部分の往復構造の波高、並びに清掃シート（積層構造）の展開角度を大きくすることができる。なお、ｋの好ましい範囲に関しては、各要件に記載されているとおりである。
【０２５７】
本開示の清掃シートが第５要件を満たす場合等には、第（ｋ＋１）シート部分が、好ましくは１２０％以上、より好ましくは１５０％以上、さらに好ましくは２００％以上、そしてさらにいっそう好ましくは２５０％以上の冗長度を有すること（以下、「第１１要件」と称する）ができる。第１１要件を満たすことにより、展開状態における清掃シートにおいて、第（ｋ＋１）シート部分の往復構造の波高を大きくすることができる。なお、ｋの好ましい範囲に関しては、各要件に記載されているとおりである。
【０２５８】
本開示の清掃シートが第２要件、第３要件又は第４要件等を満たす場合等には、複数の第ｋ展開用連結部分の少なくとも一部から固定端部に向かって連続的又は間欠的に延びている、第ｋシート部分及び第（ｋ＋１）シート部分を連結する第ｋ補助連結部分をさらに備えていること（以下、「第１２要件」と称する）ができる。第１２要件を満たすことにより、第ｋシート部分と、第（ｋ＋１）シート部分との間に、第ｋ補助連結部分を伴って形成される往復構造を保持しやすくなる。なお、ｋの好ましい範囲に関しては、各要件に記載されているとおりである。
第ｋ補助連結部分には、接着剤による接着部、熱融着性繊維による融着部、連続するシート部分の折返し部等が含まれる。
【０２５９】
本開示の清掃シートが、「第１方向配置積層構造」及び「第１方向順配置清掃シート部分」を有する場合に、以下、必要に応じて、文字式を用いて説明する。
・複数のシート部分が、ｎ枚のシート部分を含む。
・ｎ枚のシート部分が、第ｊシート部分を含む。
・第ｊシート部分が、第１方向一方向と、第１方向他方向とに交互に、ｍ個の折返し部、具体的には、第ｉ折返し部により、（ｍ＋１）のシート領域、具体的には、第ｈシート領域に区画される蛇腹構造を有する。
【０２６０】
ｊは、１〜ｎの整数であり、ｉは、１〜ｍの整数であり、そしてｈは、１〜（ｍ＋１）の整数である。
上記ｎの好ましい範囲は、第ｊシート部分のそれぞれの第１方向の長さ等によっても変わりうるが、例えば、２〜１５であることができる。
上記ｍの好ましい範囲は、積層構造が有すべき展開角度、第ｊシート部分のそれぞれの第１方向の長さ等によっても変わりうるが、例えば、積層構造の展開角度１８０°当たり、ｍは、例えば、３〜２０とすることができる。
【０２６１】
本開示の清掃シートが、「第１方向配置積層構造」及び「第１方向順配置清掃シート部分」を有する場合に、清掃シートは、以下の要件（以下、「第１３要件」と称する）を満たすことができる。
（１３−１）積層構造が、厚さ方向の両端に配置された、一対のベースシート部分をさらに含む。
（１３−２）ｎ枚のシート部分が、第１方向に並んで配置されている。
（１３−３）第ｊシート部分の、第１シート領域と、第（ｍ＋１）シート領域とが、一対のベースシート部分に連結されている。
ｊは、１〜ｎの整数であり、ｉは、１〜ｍの整数であり、そしてｈは、１〜（ｍ＋１）の整数である。
【０２６２】
第１３要件を満たすことにより、（ｉ）蛇腹構造シートが、その面積を大きくすることができ、（ｉｉ）清掃シートを第１方向に動かしながら被清掃面を清掃する場合に、複数のシートが第１方向に倒れることを抑制することができ、（ｉｉｉ）清掃シートを第２方向に動かしながら被清掃面を清掃する場合に、蛇腹構造シートを構成するシート部分の中で、あるシート部分が、被清掃面を清掃して汚れが付着した場合であっても、あるシート部分に隣接する隣接シート部分が被清掃面を清掃することができる。
【０２６３】
本開示の清掃シートが、第１３要件を満たす場合に、清掃シートは、さらに以下の要件（以下、「第１４要件」と称する）を満たすことができる。
（１４−１）ｎ枚のシート部分が、第ｊシート部分と、第（ｊ＋１）シート部分とを含む。
（１４−２）第ｊシート部分が、第ｉ折返し部により、第ｈシート領域に区画される。
（１４−３）第（ｊ＋１）シート部分が、第（ｉ＋１）折返し部により、第（ｈ＋１）シート領域に区画される。
（１４−４）第ｉ折返し部と、第（ｉ＋１）折返し部とが連結している。
【０２６４】
第１４要件を満たすことにより、清掃シートを第１方向に動かしながら被清掃面を清掃する場合に、第ｊシート部分及び第（ｊ＋１）シート部分が第１方向に倒れることを抑制することができる。
なお、ｊは、１〜（ｎ−１）の範囲の好ましくは少なくとも一部、より好ましくは４０％以上、さらに好ましくは６０％以上、そしてさらにいっそう好ましくは８０％以上の整数であり、ｉは、１〜（ｍ−１）の範囲の好ましくは少なくとも一部、より好ましくは４０％以上、さらに好ましくは６０％以上、そしてさらにいっそう好ましくは８０％以上の整数であり、そしてｈは、１〜ｍの範囲の好ましくは少なくとも一部、より好ましくは４０％以上、さらに好ましくは６０％以上、そしてさらにいっそう好ましくは８０％以上の整数である。なお、ｊ，ｉ及びｈのそれぞれは、連続する整数である必要はない。また、ｊ，ｉ及びｈのそれぞれの上限は１００％である。ｊ，ｉ及びｈが上記範囲を満たすことにより、上述の効果がより大きくなる。
なお、上記連結は、当技術分野で公知の手段、例えば、接着剤による接着部、熱融着性繊維による融着部等により形成される。
【０２６５】
本開示の清掃シートが、「第１方向配置積層構造」及び「第１方向順配置清掃シート部分」を有する場合に、上記複数のシート部分は、第１方向に順に配置されていれば特に制限されず、例えば、所定のピッチＰで配置されることができる。複数のシート部分のそれぞれが、第１方向に所定の長さを有する場合には、例えば、複数のシート部分のそれぞれの第１方向の長さをピッチＰと等しくし、複数のシート部分のうち、第１方向に隣接するシートとの間隔を０としてもよい。
【０２６６】
本開示の清掃シートにおいて、上記積層構造が、厚さ方向配置積層構造である場合には、上記複数のシート部分の少なくとも一部が、上記固定用連結部と平行な方向における、上記展開端部の伸長長さが、上記固定用連結部と平行な方向における、上記固定端部の長さよりも長くなるように構成される、すなわち、展開端部伸長長さ構造を有する。それにより、展開端部のみならず、固定端部及び展開端部の間の中央部も、清掃面として被清掃面を清掃することができ、清掃シートが、被清掃面の清掃性に優れる。
【０２６７】
上記展開端部伸長長さ構造としては、複数のシート部分の少なくとも一部が、折返し部（例えば、第１実施形態に示されるもの）を有するか、又は略多角形（例えば、三角形、四角形、例えば、台形、五角形）、略円形、略楕円形等の所定形状を有するものが挙げられる。
なお、複数のシート部分の少なくとも一部が、上述の所定形状を有する場合には、固定端部及び展開端部は、固定用連結部と平行な方向における、展開端部の伸長長さが、固定用連結部と平行な方向における、固定端部の長さよりも長くなるように選択される必要がある。
【０２６８】
本開示の清掃シートにおいて、上記積層構造が厚さ方向配置積層構造である場合であって、複数のシート部分の少なくとも一部が上述の折返し部を有するときには、固定用連結部と平行な方向における、展開端部の伸長長さと、固定用連結部と平行な方向における、固定端部の長さとの好ましい関係は、上述の冗長度と同一である。
【０２６９】
本開示の清掃シートにおいて、上記積層構造が厚さ方向配置積層構造である場合であって、複数のシート部分の少なくとも一部が上述の所定形状を有するときには、固定用連結部と平行な方向における、展開端部の伸長長さが、固定用連結部と平行な方向における、固定端部の長さよりも、好ましくは１．０５倍以上、より好ましくは１．１倍以上、さらに好ましくは１．２０倍以上の範囲で長く、そして好ましくは１．６０倍以下、より好ましくは１．５０倍以下、さらに好ましくは１．４５倍以下の範囲で長い。そうすることにより、清掃シートが、被清掃面の清掃性に優れる。
【０２７０】
本開示の清掃シートにおいて、上記積層構造が厚さ方向配置積層構造である場合であって、複数のシート部分の少なくとも一部が上述の所定形状を有するときには、展開端部の端部が、固定端部の端縁から所定の範囲内（具体的には、展開端部及び固定端部の距離内）にあることが好ましい。
【０２７１】
具体的には、図３３に示されるように、シート部分１０１１は、固定端部３及び展開端部５を有する。固定端部３及び展開端部５は、第１方向Ｄ1と平行であり、距離Ｒだけ離間している。固定端部３は、第１方向Ｄ1の両端に、第１端縁１０１３及び第２端縁１０１５を有し、そして展開端部５は、第１方向Ｄ1の両端に、第１端部１０１７及び第２端部１０１９を有している。また、展開端部５の第１端部１０１７は、固定端部３の第１端縁１０１３から距離Ｒの範囲内にあり、そして展開端部５の第２端部１０１９は、固定端部３の第２端縁１０１５から距離Ｒの範囲内にある。それにより、清掃シートを展開状態にした際に、シート部分１０１１が第１方向Ｄ1に幅入りした場合であっても、清掃シートの第１方向Ｄ1の両端が、その間の部分と比較して厚さ方向に突出しにくくなり、平坦面の清掃がしやすくなる。
なお、清掃シートの第１方向Ｄ1の両端が、その間の部分と比較して厚さ方向に突出する場合には、カーブ面等、非平坦面の清掃がしやすくなる。
【０２７２】
本開示の清掃シートは、ウェット型、ドライ型のいずれでもよく、そして本開示の清掃シートでは、積層構造を構成する複数のシート部分は、当技術分野で用いられているシート、例えば、布帛（例えば、不織布、織布、編物）を、特に制限なく含むことができる。上記布帛は、複数の孔が配置された有孔シートであってもよく、そして孔が配置されていない無孔シートであってもよい。なお、上記有孔シートは、例えば、特開２０１７−１１８９６３号公報に記載の、ウォータージェット法、ニードルパンチ法により形成された有孔シートであることができる。
【０２７３】
また、上記複数のシート部分は、ネットシートを含むことができる。上記ネットシートとしては、合成樹脂製の網目構造を有するものが挙げられる。また、上記ネットシートは、単独で上記複数のシート部分を構成してもよく、そして他のシート状物、例えば、上述の布帛に貼付された状態で上記複数のシート部分を構成してもよい。換言すると、上記複数のシート部分を構成する単一のシート部分は、ネットシートと、他のシート状物（例えば、布帛）との積層物であってもよい。
上記ネットシートの積層物では、ネットシートが、ネットシートの積層物の内面又は外面を構成するように配置されることができる。
【０２７４】
上記複数のシート部分の少なくとも一部、例えば、全部は、熱融着性繊維を含むことができる。それにより、固定用連結部、展開用連結部、所望による補助連結部を融着部から構成しやすくなる。
【０２７５】
上記熱融着性繊維としては、合成繊維、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【０２７６】
本開示の清掃シートでは、積層構造を構成する複数のシート部分の少なくとも一部、例えば、全部は、保水性繊維を含むことができる。それにより、清掃シートが、薬液を含みやすくなる、液体の汚れを吸収しやすくなる等の作用を有する。
上記保水性繊維としては、セルロース系繊維、例えば、パルプ繊維、再生セルロース繊維、及び半合成セルロース繊維が挙げられる。上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成セルロース繊維としては、例えば、アセテート繊維、例えば、トリアセテート繊維及びジアセテート繊維が挙げられる。
【０２７７】
上記ネットシート、有孔シート及び無孔シートは、その目の粗さから、汚れの掻取性が、概ね以下の関係にある。
ネットシート＞有孔シート＞無孔シート
本開示の清掃シートが、上記ネットシート、有孔シート及び無孔シートの少なくとも２種を含む場合には、汚れの掻取性の観点から、相対的に高い掻取性を有する高掻取性シートと、相対的に低い掻取性を有する低掻取性シートとが、以下のように配置されることができる。
【０２７８】
（ｉ）積層構造の厚さ方向において、高掻取性シートを中央に（相対的に多く）配置し、低掻取性シートを端部に（相対的に多く）配置する。
積層構造の中央に高掻取性シートを（相対的に多く）配置すると、清掃シートの展開状態において、高掻取性シートが被清掃面に近い位置に（相対的に多く）配置され、そして低掻取性シートがその周縁に（相対的に多く）配置されやすくなるため、高掻取性シートが汚れを落とし、そして低掻取性シートが汚れを拭き取ることができるため、清掃シートの清掃性が向上する。
【０２７９】
（ｉｉ）清掃シートを先端側領域及び基端側領域に区画した場合に、先端側領域に高掻取性シートを（相対的に多く）配置し、基端側領域に低掻取性シートを（相対的に多く）配置する。
先端側領域に高掻取性シートを（相対的に多く）配置することにより、清掃シートの先端側領域が汚れを落とし、基端側領域に低掻取性シートを（相対的に多く）配置することにより、清掃シートの基端側領域が汚れを拭き取ることができる。
上記先端側領域と、基端側領域とは、清掃シートを所定の方向（例えば、第１方向）の中央において、上記所定の方向と直交する方向（例えば、第２方向）に延びる直交線によ区画することができる。また、上記先端側領域は、使用者から相対的に遠い領域であり、そして上記基端側領域は、使用者から相対的に近い領域である。
【０２８０】
上記布帛としては、例えば、スパンレース不織布、スパンボンド不織布等が挙げられる。上記清掃シートがドライ型である場合には、複数のシート部分は、スパンレース不織布、スパンボンド不織布等を含むことができる。
【０２８１】
上記清掃シートがウェット型である場合には、複数のシート部分は、スパンレース不織布、スパンボンド不織布等を含むことができる。また、上記清掃シートが、ウェット型である場合には、積層構造の厚さ方向の両端に配置されるシート部分が、相対的に疎水性の高い布帛である疎水性布帛（例えば、合繊繊維からなるスパンボンド不織布）から構成され、そしてそれら間に配置されるシート部分が、相対的に親水性の高い布帛である親水性布帛（例えば、熱融着性繊維及び保水性繊維を含むスパンレース不織布）から構成され、親水性布帛に薬液を含ませることができる。それにより、親水性布帛が保持する薬液が、使用時に疎水性布帛を超えにくくなり、例えば、親水性布帛が保持する薬液が疎水性布帛を超え、使用者に触れにくくなる。また、親水性布帛が保持する薬液が、疎水性布帛を超えて揮発しにくくなる。
【０２８２】
本開示の清掃シートがウェット型である場合には、非展開状態における清掃シートが、清掃シートを展開させるための一対の展開用把持部を備えていることが好ましい。清掃シートがウェット型である場合には、薬液により、積層構造を構成する複数のシート部分同士が貼り付き、展開させにくくなる場合があるからである。清掃シートの展開しやすさの観点から、上記一対の展開用把持部は、非展開状態における清掃シートから、清掃シートの外方（例えば、第１方向）に突出していることが好ましく、一対の展開用把持部は、所定距離だけ離間して配置されていることがより好ましく、そして一対の展開用把持部は、疎水性布帛から構成されることがさらに好ましい。
本開示の清掃シートは、当技術分野で公知のトウをさらに含むことができ、そして含まなくともよい。
【０２８３】
本開示の清掃シートは、清掃具又は使用者が清掃シートを把持するための把持部をさらに備えていることができる。上記把持部は、清掃シートの任意の位置に配置することができる。
本開示の清掃シートが、単一の積層構造を備えている場合であって、例えば、展開角度が３６０°未満のときには、複数のシート部分の、厚さ方向の両端に配置された両端シート部分に把持部を有することができる。上記把持部は、例えば、上記両端シート部分に、追加のシート状部材、例えば、把持部形成用シートを連結、例えば、融着することにより形成されうる。
【０２８４】
本開示の清掃シートが、単一の積層構造を備えている場合であって、展開角度が３６０°の場合には、上記両端シート部分の、お互いに向かい合う部分の間に上記把持部を形成することができる。
また、上記把持部は、複数のシート部分とのうち、隣接する２枚のシート部分の間に形成されることができる。上記把持部は、隣接する２枚のシート部分の間の、例えば、中央部に形成されることができる。
【０２８５】
また、上記把持部は、単一の把持部から構成されていてもよく、そして複数の把持部分から構成されていてもよい。例えば、２つの把持部分に、清掃具の、二股に分かれた清掃シート取付部を挿入することにより、又は２つの把持部分に、使用者の親指と、人差し指から小指までとを挿入することにより、清掃シートが清掃具又は使用者の手からずれることを抑制することができる。上記２つの把持部分としては、例えば、固定用連結部を間に挟んだ、一対の把持部分が挙げられる。
【０２８６】
本開示の清掃シートが、複数の積層構造を備えている場合には、本開示の清掃シートが、単一の積層構造を備えている場合の把持部に加えて、複数の清掃シート部分の間の部分（例えば、複数の清掃シート部分のベースシート部分の間）に把持部を形成することができる。
【０２８７】
本開示の清掃シートが把持部を備えている場合には、当該把持部は、任意の方向に延びていることができ、清掃具又は使用者の把持しやすさの観点からは、把持部が、第１方向に開口している挿入口部を備えているとともに、第１方向に沿う方向に延びていることが好ましい。
また、上記挿入口部が、第１方向に延出している延出部、例えば、複数のシート部分から第１方向に遠ざかるように延出している延出部を備えていることが好ましい。それにより、使用者が、清掃具を把持部に差し込みやすくなり、そして使用者が、身体の一部を把持部に差し込みやすくなる。
【０２８８】
本開示の別の態様に従う清掃シートでは、積層構造（非展開状態）において、複数のシート部分の少なくとも一部の展開端部が、展開用連結部により、複数のシート部分のうち、厚さ方向に隣接するシート部分の展開端部に連結されているとともに、展開方向に展開することにより（展開状態において）往復構造を有する。それにより、展開状態における清掃シートが、被清掃面の清掃性に優れる。
また、上記清掃シートでは、展開用連結部により連結されている２つのシート部分が、お互いに異なる往復構造を有する。それにより、展開状態における清掃シートが、新領域露出性に優れ、被清掃面の清掃性に優れる。
【符号の説明】
【０２８９】
１    清掃シート
３    固定端部
５    展開端部
７    中央部
１１ａ    把持部形成用シート第１部分
１１ｂ    把持部形成用シート第２部分
１３ａ    ベースシート第１部分
１３ｂ    ベースシート第２部分
１７    積層構造
１９    清掃シート部分
２１    第１シート部分
３１    第２シート部分
５１    第３シート部分
６１    第４シート部分
７１    固定用連結部
７３    展開用連結部
８５    展開用把持部
９１    把持部
９３    第１往復構造
９５    第２往復構造
９７    第３往復構造
９９    第４往復構造
Ｄ1    第１方向
Ｄ11    第１方向一方向
Ｄ12    第１方向他方向
Ｄ2    第２方向
Ｄ21    第２方向一方向
Ｄ22    第２方向他方向
ＤS    展開方向
ＤS1    展開方向一方向
ＤS2    展開方向他方向
Ｔ    厚さ方向
Ｔ1    厚さ方向一方向
Ｔ2    厚さ方向他方向
【図１】
2020146442.tif 000003
【図２】
2020146442.tif 000004
【図３】
2020146442.tif 000005
【図４】
2020146442.tif 000006
【図５】
2020146442.tif 000007
【図６】
2020146442.tif 000008
【図７】
2020146442.tif 000009
【図８】
2020146442.tif 000010
【図９】
2020146442.tif 000011
【図１０】
2020146442.tif 000012
【図１１】
2020146442.tif 000013
【図１２】
2020146442.tif 000014
【図１３】
2020146442.tif 000015
【図１４】
2020146442.tif 000016
【図１５】
2020146442.tif 000017
【図１６】
2020146442.tif 000018
【図１７】
2020146442.tif 000019
【図１８】
2020146442.tif 000020
【図１９】
2020146442.tif 000021
【図２０】
2020146442.tif 000022
【図２１】
2020146442.tif 000023
【図２２】
2020146442.tif 000024
【図２３】
2020146442.tif 000025
【図２４】
2020146442.tif 000026
【図２５】
2020146442.tif 000027
【図２６】
2020146442.tif 000028
【図２７】
2020146442.tif 000029
【図２８】
2020146442.tif 000030
【図２９】
2020146442.tif 000031
【図３０】
2020146442.tif 000032
【図３１】
2020146442.tif 000033
【図３２】
2020146442.tif 000034
【図３３】
2020146442.tif 000035